(57)【特許請求の範囲】
【請求項１】
ＰＵＣＣＨ構成方法であって、
ユーザ機器（ＵＥ）によって、基地局によって送られる第１の対応関係を受け取ることであって、前記第１の対応関係が第１のセルおよび前記第１のセルに対応する第２のセルに関する情報を含む、受け取ることと、
前記ＵＥによって、前記基地局によって送られる対応関係指示情報を受け取ることであって、前記対応関係指示情報は、現在使用されている対応関係を指示するために使用され、また、前記対応関係が前記第１のセルおよび前記第１のセルに対応する前記第２のセルに関する情報を含み、前記第１のセルが、物理的アップリンク制御チャネル（ＰＵＣＣＨ）が既に構成されているセルであり、また、前記第２のセルのアップリンクフィードバック情報が、前記第２のセルに対応する前記第１のセルの前記ＰＵＣＣＨを使用することによって運ばれる、受け取ることと、
前記ＵＥによって、前記現在使用されている対応関係に従って、前記第２のセルの前記アップリンクフィードバック情報を送るために使用されるＰＵＣＣＨを送信するセルを複数のセルから決定することと
を含むことを特徴とする方法。
【請求項２】
前記対応関係指示情報は、現在使用されている第１のセルおよび前記現在使用されている第１のセルに対応する第２のセルに関する情報を含むことを特徴とする請求項１に記載の方法。
【請求項３】
ＵＥによって、基地局によって送られる対応関係指示情報を前記受け取ることの前に、前記方法は、
前記ＵＥによって、前記基地局によって送られる第２の対応関係を受け取ることであって、前記第２の対応関係が前記第１のセルおよび前記第１のセルに対応する前記第２のセルに関する前記情報を含む、受け取ること
をさらに含み、
前記対応関係指示情報は、前記第１の対応関係または前記第２の対応関係を活動化する指示情報を含むことを特徴とする請求項１に記載の方法。
【請求項４】
前記第１の対応関係は第１の通し番号をさらに含み、前記第２の対応関係は第２の通し番号をさらに含み、
前記第１の対応関係または前記第２の対応関係を活動化する前記指示情報は、活動化された対応関係の通し番号情報であり、
前記ＵＥによって、前記現在使用されている対応関係に従って、前記第２のセルの前記アップリンクフィードバック情報を送るために使用されるＰＵＣＣＨを前記決定することの前に、前記方法は、
前記ＵＥによって、前記活動化された対応関係の前記通し番号情報に対応する対応関係を活動化すること
をさらに含むことを特徴とする請求項３に記載の方法。
【請求項５】
前記対応関係指示情報は、少なくとも１つの非活動化された第１のセルに関する情報を含み、
前記ＵＥによって、前記現在使用されている対応関係に従って、前記第２のセルの前記アップリンクフィードバック情報を送るために使用されるＰＵＣＣＨを前記決定することの前に、前記方法は、
前記ＵＥによって、前記少なくとも１つの非活動化された第１のセルのＰＵＣＣＨを非活動化し、前記非活動化された第１のセルに対応する第２のセルと活動状態にある第１のセルとの間の対応関係を確立すること
をさらに含むことを特徴とする請求項１に記載の方法。
【請求項６】
前記第１のセルに対応する前記第２のセルは、第１の二次タイミング進みグループおよび第２のタイミング進みグループである少なくとも２つのタイミング進みグループのいずれかに属し、前記第２のタイミング進みグループは、前記第１の二次タイミング進みグループに含まれている第２のセルとは異なる別の第２のセルを含み、前記方法は、前記第１のセルを含む前記第１の二次タイミング進みグループに対応するアップリンク時間整列タイマが時間切れになると、前記ＵＥによって、前記第１の二次タイミング進みグループ内のセルに対応するサウンディング基準信号（ＳＲＳ）資源を解放することと、前記ＵＥによって以下の処理、すなわち
前記ＵＥによって、前記第１のセルに対応する前記第２のセルに対して構成されたチャネル品質インジケータ（ＣＱＩ）資源を解放する処理であって、前記第２のセルが、前記第２のタイミング進みグループに属する第２のセル、および前記第１の二次タイミング進みグループに属する第２のセルを含む処理、
前記ＵＥによって、前記第１のセルに対応し、かつ、前記第２のタイミング進みグループに属する第２のセルに対して構成されたＳＲＳ資源を解放し、かつ／またはアップリンク許可、ダウンリンク許可、および／または前記第２のセルに対応するハイブリッド自動再送要求（ＨＡＲＱ）バッファ情報をクリアする処理、
前記ＵＥによって、前記第１のセルに対応し、かつ、前記第２のタイミング進みグループに属する前記第２のセルを非活動化する処理、
前記ＵＥによって、前記第１のセルに対応し、かつ、前記第２のタイミング進みグループに属する前記第２のセルに対して構成されたアップリンク伝送を停止する処理、または
前記ＵＥによって、前記第２のタイミング進みグループのアップリンク時間整列タイマを停止する処理であって、前記第２のタイミング進みグループに含まれているすべてのセルが、前記第１の二次タイミング進みグループに含まれている第１のセルに対応する第２のセルである処理
のうちの少なくとも１つを実施することとをさらに含むことを特徴とする請求項１乃至５のいずれか一項に記載の方法。
【請求項７】
前記ＵＥによって、トリガ条件が満たされたことを決定し、パワーヘッドルーム（ＰＨ）を報告すること
をさらに含み、
前記トリガ条件は、
Ｎが２より大きいか、または２に等しい整数である、前記ＵＥのＮ個の第１のセルのパワーヘッドルームのうちのいずれか２つの第１のセルのパワーヘッドルーム間の比率が、第１のプリセット閾値より大きいか、または第１のプリセット閾値に等しいこと、または
前記ＵＥのパワーヘッドルームが第２のプリセット閾値未満であり、前記ＵＥの前記パワーヘッドルームが、前記ＵＥの最大伝送パワー、一次セルのＰＵＣＣＨパワー、二次セルのＰＵＣＣＨパワー、前記一次セルの物理的アップリンク共有チャネルＰＵＳＣＨパワー、および／または前記二次セルのＰＵＳＣＨパワーに従って獲得されること、または
前記ＵＥの前記第１のセルが変更されること
を含むことを特徴とする請求項１に記載の方法。
【請求項８】
前記ＵＥの前記第１のセルが変更されることは、
前記ＵＥの少なくとも１つの第１のセルが活動化されるか、または
前記ＵＥの少なくとも１つの第１のセルのＰＵＣＣＨが活動化されるか、または
前記ＵＥの少なくとも１つの第１のセルが非活動化されるか、または
前記ＵＥの少なくとも１つの第１のセルのＰＵＣＣＨが非活動化されるか、または
ＰＵＣＣＨが前記ＵＥの少なくとも１つのセルに対して構成されるか、または
ＰＵＣＣＨが前記ＵＥの少なくとも１つの第１のセルに対して脱構成されるか、またはＰＵＣＣＨを含む少なくとも１つのセルが前記ＵＥのために追加されるように構成される
ことを含むことを特徴とする請求項７に記載の方法。
【請求項９】
ＰＵＣＣＨ構成方法であって、
基地局によって第１の対応関係をユーザ機器（ＵＥ）に送ることであって、前記第１の対応関係が第１のセルおよび前記第１のセルに対応する第２のセルに関する情報を含む、送ることと、
前記基地局によって対応関係指示情報を決定することであって、前記対応関係指示情報は、前記ＵＥの現在使用されている対応関係を指示するために使用され、前記対応関係が前記第１のセルおよび前記第１のセルに対応する前記第２のセルに関する情報を含み、前記第１のセルが、物理的アップリンク制御チャネル（ＰＵＣＣＨ）が既に構成されているセルであり、前記第２のセルのアップリンクフィードバック情報が、前記第２のセルに対応する前記第１のセルの前記ＰＵＣＣＨを使用することによって運ばれる、決定することと、
前記基地局によって前記対応関係指示情報を前記ＵＥに送ることと
を含むことを特徴とする方法。
【請求項１０】
前記対応関係指示情報は、現在使用されている第１のセルおよび前記現在使用されている第１のセルに対応する第２のセルに関する情報を含むことを特徴とする請求項９に記載の方法。
【請求項１１】
前記対応関係指示情報は、前記第１の対応関係を活動化する指示情報を含むことを特徴とする請求項９に記載の方法。
【請求項１２】
前記基地局によって前記対応関係指示情報を前記ＵＥに前記送ることの前に、前記方法は、
前記基地局によって第２の対応関係を前記ＵＥに送ることであって、前記第２の対応関係が前記第１のセルおよび前記第１のセルに対応する前記第２のセルに関する前記情報を含む、送ること
をさらに含み、
前記対応関係指示情報は、前記第１の対応関係または前記第２の対応関係を活動化する指示情報を含むことを特徴とする請求項９に記載の方法。
【請求項１３】
前記第１の対応関係は第１の通し番号をさらに含み、前記第２の対応関係は第２の通し番号をさらに含み、
前記第１の対応関係または前記第２の対応関係を活動化する前記指示情報は、活動化された対応関係の通し番号情報であることを特徴とする請求項１２に記載の方法。
【請求項１４】
ＰＵＣＣＨ構成装置であって、前記ＰＵＣＣＨ構成装置はユーザ機器ＵＥの中に配置され、
基地局によって送られる対応関係指示情報を受け取るように構成された受信モジュールであって、前記対応関係指示情報は、現在使用されている対応関係を指示するために使用され、前記対応関係が第１のセルおよび前記第１のセルに対応する第２のセルに関する情報を含み、前記第１のセルが、物理的アップリンク制御チャネル（ＰＵＣＣＨ）が既に構成されているセルであり、前記第２のセルのアップリンクフィードバック情報が、前記第２のセルに対応する前記第１のセルの前記ＰＵＣＣＨを使用することによって運ばれる受信モジュールと、
前記現在使用されている対応関係に従って、前記第２のセルの前記アップリンクフィードバック情報を送るために使用されるＰＵＣＣＨを送信するセルを複数のセルから決定するように構成された処理モジュールと
を備え、
前記受信モジュールは、前記基地局によって送られる第１の対応関係を受け取るようにさらに構成され、前記第１の対応関係は、前記第１のセルおよび前記第１のセルに対応する前記第２のセルに関する前記情報を含むことを特徴とする装置。
【請求項１５】
前記対応関係指示情報は、現在使用されている第１のセルおよび前記現在使用されている第１のセルに対応する第２のセルに関する情報を含むことを特徴とする請求項１４に記載の装置。
【請求項１６】
前記受信モジュールは、前記基地局によって送られる第２の対応関係を受け取るようにさらに構成され、前記第２の対応関係は、前記第１のセルおよび前記第１のセルに対応する前記第２のセルに関する前記情報を含み、
前記対応関係指示情報は、前記第１の対応関係または前記第２の対応関係を活動化する指示情報を含むことを特徴とする請求項１４に記載の装置。
【請求項１７】
前記第１の対応関係は第１の通し番号をさらに含み、前記第２の対応関係は第２の通し番号をさらに含み、
前記第１の対応関係または前記第２の対応関係を活動化する前記指示情報は、活動化された対応関係の通し番号情報であり、
前記処理モジュールは、前記活動化された対応関係の前記通し番号情報に対応する対応関係を活動化するようにさらに構成されることを特徴とする請求項１６に記載の装置。
【請求項１８】
前記対応関係指示情報は、少なくとも１つの非活動化された第１のセルに関する情報を含み、
前記処理モジュールは、前記少なくとも１つの非活動化された第１のセルのＰＵＣＣＨを非活動化し、かつ、前記非活動化された第１のセルに対応する第２のセルと活動状態にある第１のセルとの間の対応関係を確立するようにさらに構成されることを特徴とする請求項１４に記載の装置。
【請求項１９】
前記第１のセルに対応する前記第２のセルは、第１の二次タイミング進みグループおよび第２のタイミング進みグループである少なくとも２つのタイミング進みグループのいずれかに属し、前記第２のタイミング進みグループは、前記第１の二次タイミング進みグループに含まれている第２のセルとは異なる別の第２のセルを含み、また、前記処理モジュールは、前記第１のセルを含む前記第１の二次タイミング進みグループに対応するアップリンク時間整列タイマが時間切れになると、前記処理モジュールによって、前記第１の二次タイミング進みグループ内のセルに対応するサウンディング基準信号（ＳＲＳ）資源を解放し、かつ、前記処理モジュールによって以下の処理、すなわち
前記処理モジュールによって、前記第１のセルに対応する前記第２のセルに対して構成されたチャネル品質インジケータ（ＣＱＩ）資源を解放する処理であって、前記第２のセルが、前記第２のタイミング進みグループに属する第２のセル、および前記第１の二次タイミング進みグループに属する第２のセルを含む処理、
前記処理モジュールによって、前記第１のセルに対応し、かつ、前記第２のタイミング進みグループに属する第２のセルに対して構成されたＳＲＳ資源を解放し、かつ／またはアップリンク許可、ダウンリンク許可、および／または前記第２のセルに対応するハイブリッド自動再送要求（ＨＡＲＱ）バッファ情報をクリアする処理、
前記処理モジュールによって、前記第１のセルに対応し、かつ、前記第２のタイミング進みグループに属する前記第２のセルを非活動化する処理、
前記処理モジュールによって、前記第１のセルに対応し、かつ、前記第２のタイミング進みグループに属する前記第２のセルに対して構成されたアップリンク伝送を停止する処理、または
前記処理モジュールによって、前記第２のタイミング進みグループのアップリンク時間整列タイマを停止する処理であって、前記第２のタイミング進みグループに含まれているすべてのセルが、前記第１の二次タイミング進みグループに含まれている第１のセルに対応する第２のセルである処理
のうちの少なくとも１つを実施するようにさらに構成されることを特徴とする請求項１４乃至１８のいずれか一項に記載の装置。
【請求項２０】
トリガ条件が満たされたことを決定し、かつ、パワーヘッドルーム（ＰＨ）を報告するように構成された送信モジュール
をさらに含み、
前記トリガ条件は、
Ｎが２より大きいか、または２に等しい整数である、前記ＵＥのＮ個の第１のセルのパワーヘッドルームのうちのいずれか２つの第１のセルのパワーヘッドルーム間の比率が、第１のプリセット閾値より大きいか、または第１のプリセット閾値に等しいこと、または
前記ＵＥのパワーヘッドルームが第２のプリセット閾値未満であり、前記ＵＥの前記パワーヘッドルームが、前記ＵＥの最大伝送パワー、一次セルのＰＵＣＣＨパワー、二次セルのＰＵＣＣＨパワー、前記一次セルの物理的アップリンク共有チャネルＰＵＳＣＨパワー、および／または前記二次セルのＰＵＳＣＨパワーに従って獲得されること、または
前記ＵＥの前記第１のセルが変更されること
を含むことを特徴とする請求項１４に記載の装置。
【請求項２１】
前記ＵＥの前記第１のセルが変更されることは、
前記ＵＥの少なくとも１つの第１のセルが活動化されるか、または
前記ＵＥの少なくとも１つの第１のセルのＰＵＣＣＨが活動化されるか、または
前記ＵＥの少なくとも１つの第１のセルが非活動化されるか、または
前記ＵＥの少なくとも１つの第１のセルのＰＵＣＣＨが非活動化されるか、または
ＰＵＣＣＨが前記ＵＥの少なくとも１つのセルに対して構成されるか、または
ＰＵＣＣＨが前記ＵＥの少なくとも１つの第１のセルに対して脱構成されるか、またはＰＵＣＣＨを含む少なくとも１つのセルが前記ＵＥのために追加されるように構成さ
れる
ことを含むことを特徴とする請求項２０に記載の装置。
【請求項２２】
ＰＵＣＣＨ構成装置であって、前記ＰＵＣＣＨ構成装置は基地局の中に配置され、
対応関係指示情報を決定するように構成された処理モジュールであって、前記対応関係指示情報は、ユーザ機器（ＵＥ）の現在使用されている対応関係を指示するために使用され、前記対応関係が第１のセルおよび前記第１のセルに対応する第２のセルに関する情報を含み、前記第１のセルが、物理的アップリンク制御チャネル（ＰＵＣＣＨ）が既に構成されているセルであり、前記第２のセルのアップリンクフィードバック情報が、前記第２のセルに対応する前記第１のセルの前記ＰＵＣＣＨを使用することによって運ばれる処理モジュールと、
前記対応関係指示情報を前記ＵＥに送るように構成された送信モジュールと
を備え、前記送信モジュールは、第１の対応関係を前記ＵＥに送るようにさらに構成され、前記第１の対応関係は、前記第１のセルおよび前記第１のセルに対応する前記第２のセルに関する前記情報を含む
ことを特徴とする装置。
【請求項２３】
前記対応関係指示情報は、現在使用されている第１のセルおよび前記現在使用されている第１のセルに対応する第２のセルに関する情報を含むことを特徴とする請求項２２に記載の装置。
【請求項２４】
前記対応関係指示情報は、前記第１の対応関係を活動化する指示情報を含むことを特徴とする請求項２２に記載の装置。
【請求項２５】
前記送信モジュールは、第２の対応関係を前記ＵＥに送るようにさらに構成され、前記第２の対応関係は、前記第１のセルおよび前記第１のセルに対応する前記第２のセルに関する前記情報を含み、
前記対応関係指示情報は、前記第１の対応関係または前記第２の対応関係を活動化する指示情報を含むことを特徴とする請求項２２に記載の装置。
【請求項２６】
前記第１の対応関係は第１の通し番号をさらに含み、前記第２の対応関係は第２の通し番号をさらに含み、
前記第１の対応関係または前記第２の対応関係を活動化する前記指示情報は、活動化された対応関係の通し番号情報であることを特徴とする請求項２５に記載の装置。
【請求項２７】
プログラムが記録されたコンピュータ可読記憶媒体であって、
前記プログラムは、コンピュータに、請求項１乃至８のいずれか一項に記載の方法を実行させる、コンピュータ可読記憶媒体。
【請求項２８】
プログラムが記録されたコンピュータ可読記憶媒体であって、
前記プログラムは、コンピュータに、請求項９乃至１３のいずれか一項に記載の方法を実行させる、コンピュータ可読記憶媒体。
【請求項２９】
通信システムであって、
互いに通信するユーザ機器および基地局を備え、
前記ユーザ機器は、請求項１乃至８のいずれか一項に記載の方法を実行し、前記基地局は、請求項９乃至１３のいずれか一項に記載の方法を実行することを特徴とする通信システム。
【発明の詳細な説明】
【技術分野】
【０００１】
本発明の実施形態は通信技術に関し、詳細には物理アップリンク制御チャネル（Ｐｈｙｓｉｃａｌ  Ｕｐｌｉｎｋ  Ｃｏｎｔｒｏｌ  Ｃｈａｎｎｅｌ、以下、短くしてＰＵＣＣＨ）構成方法および装置に関する。
【背景技術】
【０００２】
無線通信技術の迅速な開発により、通信システムは、キャリアアグリゲーション（Ｃａｒｒｉｅｒ  Ａｇｇｒｅｇａｔｉｏｎ、以下、短くしてＣＡ）技術を使用して、より広い帯域幅に対する要求事項をサポートしており、すなわち２または複数の搬送波がデータ伝送のために集合されることがある。
【０００３】
ＣＡ技術では、物理アップリンク共有チャネル（Ｐｈｙｓｉｃａｌ  Ｕｐｌｉｎｋ  Ｓｈａｒｅｄ  Ｃｈａｎｎｅｌ、以下、短くしてＰＵＳＣＨ）は、通常、ユーザ機器（Ｕｓｅｒ  Ｅｑｕｉｐｍｅｎｔ、以下、短くしてＵＥ）によって基地局へ送られるアップリンクデータを運ぶために、アップリンク中の複数のセルに対して構成される。しかしながらＰＵＣＣＨは、通常、ＵＥのすべてのセルのアップリンクフィードバック情報を運ぶために、アップリンク中の１つのセルのためにのみ構成される。アップリンクフィードバック情報は、例えばハイブリッド自動再送要求−肯定応答（Ｈｙｂｒｉｄ  Ａｕｔｏｍａｔｉｃ  Ｒｅｐｅａｔ  Ｒｅｑｕｅｓｔ−Ａｃｋｎｏｗｌｅｄｇｅｍｅｎｔ、以下、短くしてＨＡＲＱ−ＡＣＫ）およびチャネル品質インジケータ（Ｃｈａｎｎｅｌ  Ｑｕａｌｉｔｙ  Ｉｎｄｉｃａｔｏｒ、以下、短くしてＣＱＩ）である。
【０００４】
しかしながら従来技術における方法によれば、ＵＥの比較的大量のセルが存在する場合、従来技術における方法によってＰＵＣＣＨが構成されるセルの負荷が比較的大きい。
【発明の概要】
【０００５】
本発明の実施形態は、ＰＵＣＣＨが構成されるセルの負荷を小さくするためのＰＵＣＣＨ構成方法および装置を提供する。
【０００６】
第１の態様によれば、本発明の実施形態は、
ユーザ機器ＵＥによって、基地局によって送られる対応関係指示情報を受け取ることであって、対応関係指示情報は、現在使用されている対応関係を指示するために使用され、対応関係が第１のセルおよび第１のセルに対応する第２のセルに関する情報を含み、第１のセルが、物理アップリンク制御チャネルＰＵＣＣＨが既に構成されているセルであり、第２のセルのアップリンクフィードバック情報が、第２のセルに対応する第１のセルのＰＵＣＣＨを使用することによって運ばれることと、
ＵＥによって、現在使用されている対応関係に従って、第２のセルのアップリンクフィードバック情報を送るために使用されるＰＵＣＣＨを決定することと
を含むＰＵＣＣＨ構成方法を提供する。
【０００７】
第１の態様を参照すると、第１の態様の第１の可能実施態様方式では、対応関係指示情報は、現在使用されている第１のセルおよび現在使用されている第１のセルに対応する第２のセルに関する情報を含む。
【０００８】
第１の態様を参照すると、第１の態様の第２の可能実施態様方式では、ＵＥによって、基地局によって送られる対応関係指示情報を受け取ることの前に、方法は、
ＵＥによって、基地局によって送られる第１の対応関係を受け取ることであって、第１の対応関係が第１のセルおよび第１のセルに対応する第２のセルに関する情報を含むこと
をさらに含み、また、
対応関係指示情報は、第１の対応関係を活動化する指示情報を含む。
【０００９】
第１の態様を参照すると、第１の態様の第３の可能実施態様方式では、ＵＥによって、基地局によって送られる対応関係指示情報を受け取ることの前に、方法は、
ＵＥによって、基地局によって送られる第１の対応関係および第２の対応関係を受け取ることであって、第１の対応関係および第２の対応関係が第１のセルおよび第１のセルに対応する第２のセルに関する情報を含むこと
をさらに含み、
対応関係指示情報は、第１の対応関係または第２の対応関係を活動化する指示情報を含む。
【００１０】
第１の態様の第３の可能実施態様方式を参照すると、第１の態様の第４の可能実施態様方式では、第１の対応関係は第１の通し番号をさらに含み、また、第２の対応関係は第２の通し番号をさらに含み、
第１の対応関係または第２の対応関係を活動化する指示情報は、活動化された対応関係の通し番号情報であり、
ＵＥによって、現在使用されている対応関係に従って、第２のセルのアップリンクフィードバック情報を送るために使用されるＰＵＣＣＨを決定することの前に、方法は、
ＵＥによって、活動化された対応関係の通し番号情報に対応する対応関係を活動化すること
をさらに含む。
【００１１】
第１の態様を参照すると、第１の態様の第５の可能実施態様方式では、対応関係指示情報は、少なくとも１つの非活動化された第１のセルに関する情報を含み、
ＵＥによって、現在使用されている対応関係に従って、第２のセルのアップリンクフィードバック情報を送るために使用されるＰＵＣＣＨを決定することの前に、方法は、
ＵＥによって、少なくとも１つの非活動化された第１のセルのＰＵＣＣＨを非活動化し、非活動化された第１のセルに対応する第２のセルと活動状態にある第１のセルとの間の対応関係を確立すること
をさらに含む。
【００１２】
第１の態様を参照すると、第１の態様の第６の可能実施態様方式では、対応関係指示情報は、少なくとも１つの活動化された第１のセルに関する情報を含み、
ＵＥによって、現在使用されている対応関係に従って、第２のセルのアップリンクフィードバック情報を送るために使用されるＰＵＣＣＨを決定することの前に、方法は、
ＵＥによって、少なくとも１つの活動化された第１のセルのＰＵＣＣＨを活動化し、活動化された第１のセルと第２のセルの間の対応関係を確立すること
をさらに含む。
【００１３】
第１の態様、または第１の態様の第１の可能実施態様方式乃至第６の可能実施態様方式のうちのいずれか１つを参照すると、第１の態様の第７の可能実施態様方式では、ユーザ機器ＵＥによって、基地局によって送られる対応関係指示情報を受け取ることは、
ＵＥによってＬ１の瞬間に、媒体アクセス制御層制御要素ＭＡＣ  ＣＥまたは物理ダウンリンク制御チャネルＰＤＣＣＨを使用することによって対応関係指示情報を受け取り、Ｓが正の数であるＬ１＋Ｓの瞬間に、対応関係指示情報によって指示される対応関係を使用すること、または
ＵＥによってＬ１の瞬間に、無線資源制御ＲＲＣ信号発信を使用することによって対応関係指示情報を受け取り、Ｌ１＋Ｓの瞬間に、対応関係指示情報によって指示される対応関係を使用すること
を含む。
【００１４】
第１の態様、または第１の態様の第１の可能実施態様方式乃至第７の可能実施態様方式のうちのいずれか１つを参照すると、第１の態様の第８の可能実施態様方式では、方法は、
ＵＥによって、基地局によって送られる非活動化指示を受け取り、非活動化指示に従って少なくとも１つの第１のセルを非活動化し、第１のセルに対する対応関係を有するすべての第２のセルを非活動化すること
をさらに含む。
【００１５】
第１の態様、または第１の態様の第１の可能実施態様方式乃至第７の可能実施態様方式のうちのいずれか１つを参照すると、第１の態様の第９の可能実施態様方式では、
第１のセルに対応する第２のセルは、第１の二次タイミング進みグループおよび第２のタイミング進みグループである少なくとも２つのタイミング進みグループに属し、方法は、第１のセルを含む第１の二次タイミング進みグループに対応するアップリンク時間整列タイマが時間切れになると、ＵＥによって、第１の二次タイミング進みグループ内のセルに対応するサウンディング基準信号ＳＲＳ資源を解放することと、ＵＥによって以下の処理、すなわち
ＵＥによって、第１のセルに対応する第２のセルに対して構成されたＣＱＩ資源を解放する処理であって、第２のセルが、第２のタイミング進みグループに属する第２のセル、および第１の二次タイミング進みグループに属する第２のセルを含む処理、
ＵＥによって、第１のセルに対応し、かつ、第２のタイミング進みグループに属する第２のセルに対して構成されたＳＲＳ資源を解放し、かつ／またはアップリンク許可、ダウンリンク許可、および／または第２のセルに対応するＨＡＲＱバッファ情報をクリアする処理、
ＵＥによって、第１のセルに対応し、かつ、第２のタイミング進みグループに属する第２のセルを非活動化する処理、
ＵＥによって、第１のセルに対応し、かつ、第２のタイミング進みグループに属する第２のセルに対して構成されたアップリンク伝送を停止する処理、または
ＵＥによって、第２のタイミング進みグループのアップリンク時間整列タイマを停止する処理であって、第２のタイミング進みグループに含まれているすべてのセルが、第１の二次タイミング進みグループに含まれている第１のセルに対応する第２のセルである処理
のうちの少なくとも１つを実施することとをさらに含む。
【００１６】
第１の態様を参照すると、第１の態様の第１０の可能実施態様方式では、方法は、
ＵＥによって、トリガ条件が満たされたことを決定し、パワーヘッドルームＰＨを報告すること
をさらに含み、
トリガ条件は、
Ｎが２より大きいか、または２に等しい整数である、ＵＥのＮ個の第１のセルのパワーヘッドルームのうちのいずれか２つの第１のセルのパワーヘッドルーム間の比率が、第１のプリセット閾値より大きいか、または第１のプリセット閾値に等しいこと、または
ＵＥのパワーヘッドルームが第２のプリセット閾値未満であり、ＵＥのパワーヘッドルームが、ＵＥの最大伝送パワー、一次セルのＰＵＣＣＨパワー、二次セルのＰＵＣＣＨパワー、一次セルの物理アップリンク共有チャネルＰＵＳＣＨパワー、および／または二次セルのＰＵＳＣＨパワーに従って獲得されること、または
ＵＥの第１のセルが変更されること
を含む。
【００１７】
第１の態様の第１０の可能実施態様方式を参照すると、第１の態様の第１１の可能実施態様方式では、ＵＥの第１のセルが変更されることには、
ＵＥの少なくとも１つの第１のセルが活動化されるか、または
ＵＥの少なくとも１つの第１のセルのＰＵＣＣＨが活動化されるか、または
ＵＥの少なくとも１つの第１のセルが非活動化されるか、または
ＵＥの少なくとも１つの第１のセルのＰＵＣＣＨが非活動化されるか、または
ＰＵＣＣＨがＵＥの少なくとも１つのセルに対して構成されるか、または
ＰＵＣＣＨがＵＥの少なくとも１つの第１のセルに対して脱構成されるか、または、ＰＵＣＣＨを含む少なくとも１つのセルがＵＥのために追加されるように構成される
ことを含む。
【００１８】
第１の態様の第１０の可能実施態様方式または第１１の可能実施態様方式を参照すると、第１の態様の第１２の可能実施態様方式では、ＰＨは、
一次セルのＰＵＣＣＨを使用することによって伝送を実施するための、ＵＥのためのパワーヘッドルーム、
二次セルのＰＵＣＣＨを使用することによって伝送を実施するための、ＵＥのためのパワーヘッドルーム、または
一次セルのＰＵＣＣＨおよび二次セルのＰＵＣＣＨの両方を使用することによって伝送を実施するための、ＵＥのためのパワーヘッドルーム
の情報のうちの少なくとも１つを含む。
【００１９】
第２の態様によれば、本発明の実施形態は、
基地局によって対応関係指示情報を決定することであって、対応関係指示情報は、ＵＥの現在使用されている対応関係を指示するために使用され、対応関係が第１のセルおよび第１のセルに対応する第２のセルに関する情報を含み、第１のセルが、物理アップリンク制御チャネルＰＵＣＣＨが既に構成されているセルであり、第２のセルのアップリンクフィードバック情報が、第２のセルに対応する第１のセルのＰＵＣＣＨを使用することによって運ばれることと、
基地局によって対応関係指示情報をＵＥに送ることと
を含むＰＵＣＣＨ構成方法を提供する。
【００２０】
第２の態様を参照すると、第２の態様の第１の可能実施態様方式では、対応関係指示情報は、現在使用されている第１のセルおよび現在使用されている第１のセルに対応する第２のセルに関する情報を含む。
【００２１】
第２の態様を参照すると、第２の態様の第２の可能実施態様方式では、基地局によって対応関係指示情報をＵＥに送ることの前に、方法は、
基地局によって第１の対応関係をＵＥに送ることであって、第１の対応関係が第１のセルおよび第１のセルに対応する第２のセルに関する情報を含むこと
をさらに含み、
対応関係指示情報は、第１の対応関係を活動化する指示情報を含む。
【００２２】
第２の態様を参照すると、第２の態様の第３の可能実施態様方式では、基地局によって対応関係指示情報をＵＥに送ることの前に、方法は、
基地局によって第１の対応関係および第２の対応関係をＵＥに送ることであって、第１の対応関係および第２の対応関係が第１のセルおよび第１のセルに対応する第２のセルに関する情報を含むこと
をさらに含み、
対応関係指示情報は、第１の対応関係または第２の対応関係を活動化する指示情報を含む。
【００２３】
第２の態様の第３の可能実施態様方式を参照すると、第２の態様の第４の可能実施態様方式では、第１の対応関係は第１の通し番号をさらに含み、第２の対応関係は第２の通し番号をさらに含み、
第１の対応関係または第２の対応関係を活動化する指示情報は、活動化された対応関係の通し番号情報である。
【００２４】
第２の態様を参照すると、第２の態様の第５の可能実施態様方式では、対応関係指示情報は、少なくとも１つの非活動化された第１のセルに関する情報を含む。
【００２５】
第２の態様を参照すると、第２の態様の第６の可能実施態様方式では、対応関係指示情報は、少なくとも１つの活動化された第１のセルに関する情報を含む。
【００２６】
第２の態様、または第２の態様の第１の可能実施態様方式乃至第６の可能実施態様方式のうちのいずれか１つを参照すると、第２の態様の第７の可能実施態様方式では、方法は、
ＵＥが非活動化指示に従って少なくとも１つの第１のセルを非活動化し、第１のセルに対する対応関係を有するすべての第２のセルを非活動化するよう、基地局によって非活動化指示をＵＥに送ること
をさらに含む。
【００２７】
第３の態様によれば、本発明の実施形態はＰＵＣＣＨ構成装置を提供し、ＰＵＣＣＨ構成装置はユーザ機器ＵＥの中に配置され、
基地局によって送られる対応関係指示情報を受け取るように構成された受信モジュールであって、対応関係指示情報は、現在使用されている対応関係を指示するために使用され、対応関係が第１のセルおよび第１のセルに対応する第２のセルに関する情報を含み、第１のセルが、物理アップリンク制御チャネルＰＵＣＣＨが既に構成されているセルであり、第２のセルのアップリンクフィードバック情報が、第２のセルに対応する第１のセルのＰＵＣＣＨを使用することによって運ばれる受信モジュールと、
現在使用されている対応関係に従って、第２のセルのアップリンクフィードバック情報を送るために使用されるＰＵＣＣＨを決定するように構成された処理モジュールと
を含む。
【００２８】
第３の態様を参照すると、第３の態様の第１の可能実施態様方式では、対応関係指示情報は、現在使用されている第１のセルおよび現在使用されている第１のセルに対応する第２のセルに関する情報を含む。
【００２９】
第３の態様を参照すると、第３の態様の第２の可能実施態様方式では、受信モジュールは、基地局によって送られる第１の対応関係を受け取るようにさらに構成され、第１の対応関係は、第１のセルおよび第１のセルに対応する第２のセルに関する情報を含み、
対応関係指示情報は、第１の対応関係を活動化する指示情報を含む。
【００３０】
第３の態様を参照すると、第３の態様の第３の可能実施態様方式では、受信モジュールは、基地局によって送られる第１の対応関係および第２の対応関係を受け取るようにさらに構成され、第１の対応関係および第２の対応関係は、第１のセルおよび第１のセルに対応する第２のセルに関する情報を含み、
対応関係指示情報は、第１の対応関係または第２の対応関係を活動化する指示情報を含む。
【００３１】
第３の態様の第３の可能実施態様方式を参照すると、第３の態様の第４の可能実施態様方式では、第１の対応関係は第１の通し番号をさらに含み、第２の対応関係は第２の通し番号をさらに含み、
第１の対応関係または第２の対応関係を活動化する指示情報は、活動化された対応関係の通し番号情報であり、
処理モジュールは、活動化された対応関係の通し番号情報に対応する対応関係を活動化するようにさらに構成される。
【００３２】
第３の態様を参照すると、第３の態様の第５の可能実施態様方式では、対応関係指示情報は、少なくとも１つの非活動化された第１のセルに関する情報を含み、また、
処理モジュールは、少なくとも１つの非活動化された第１のセルのＰＵＣＣＨを非活動化し、かつ、非活動化された第１のセルに対応する第２のセルと活動状態にある第１のセルとの間の対応関係を確立するようにさらに構成される。
【００３３】
第３の態様を参照すると、第３の態様の第６の可能実施態様方式では、対応関係指示情報は、少なくとも１つの活動化された第１のセルに関する情報を含み、また、
処理モジュールは、少なくとも１つの活動化された第１のセルのＰＵＣＣＨを活動化し、かつ、活動化された第１のセルと第２のセルの間の対応関係を確立するようにさらに構成される。
【００３４】
第３の態様、または第３の態様の第１の可能実施態様方式乃至第６の可能実施態様方式のうちのいずれか１つを参照すると、第３の態様の第７の可能実施態様方式では、受信モジュールは、とりわけ、Ｌ１の瞬間に、媒体アクセス制御層制御要素ＭＡＣ  ＣＥまたは物理ダウンリンク制御チャネルＰＤＣＣＨを使用することによって対応関係指示情報を受け取り、かつ、Ｓが正の数であるＬ１＋Ｓの瞬間に、対応関係指示情報によって指示される対応関係を使用するように構成されるか、またはＬ１の瞬間に、無線資源制御ＲＲＣ信号発信を使用することによって対応関係指示情報を受け取り、かつ、Ｌ１＋Ｓの瞬間に、対応関係指示情報によって指示される対応関係を使用するように構成される。
【００３５】
第３の態様、または第３の態様の第１の可能実施態様方式乃至第７の可能実施態様方式のうちのいずれか１つを参照すると、第３の態様の第８の可能実施態様方式では、受信モジュールは、基地局によって送られる非活動化指示を受け取るようにさらに構成され、処理モジュールは、非活動化指示に従って少なくとも１つの第１のセルを非活動化し、かつ、第１のセルに対する対応関係を有するすべての第２のセルを非活動化するようにさらに構成される。
【００３６】
第３の態様、または第３の態様の第１の可能実施態様方式乃至第７の可能実施態様方式のうちのいずれか１つを参照すると、第３の態様の第９の可能実施態様方式では、第１のセルに対応する第２のセルは、第１の二次タイミング進みグループおよび第２のタイミング進みグループである少なくとも２つのタイミング進みグループに属し、処理モジュールは、第１のセルを含む第１の二次タイミング進みグループに対応するアップリンク時間整列タイマが時間切れになると、処理モジュールによって、第１の二次タイミング進みグループ内のセルに対応するサウンディング基準信号ＳＲＳ資源を解放し、かつ、処理モジュールによって以下の処理、すなわち
処理モジュールによって、第１のセルに対応する第２のセルに対して構成されたＣＱＩ資源を解放する処理であって、第２のセルが、第２のタイミング進みグループに属する第２のセル、および第１の二次タイミング進みグループに属する第２のセルを含む処理、
処理モジュールによって、第１のセルに対応し、かつ、第２のタイミング進みグループに属する第２のセルに対して構成されたＳＲＳ資源を解放し、かつ／またはアップリンク許可、ダウンリンク許可、および／または第２のセルに対応するＨＡＲＱバッファ情報をクリアする処理、
処理モジュールによって、第１のセルに対応し、かつ、第２のタイミング進みグループに属する第２のセルを非活動化する処理、
処理モジュールによって、第１のセルに対応し、かつ、第２のタイミング進みグループに属する第２のセルに対して構成されたアップリンク伝送を停止する処理、または
処理モジュールによって、第２のタイミング進みグループのアップリンク時間整列タイマを停止する処理であって、第２のタイミング進みグループに含まれているすべてのセルが、第１の二次タイミング進みグループに含まれている第１のセルに対応する第２のセルである処理
のうちの少なくとも１つを実施するようにさらに構成される。
【００３７】
第３の態様を参照すると、第３の態様の第１０の可能実施態様方式では、装置は、
トリガ条件が満たされたことを決定し、かつ、パワーヘッドルームＰＨを報告するように構成された送信モジュール
をさらに含み、
トリガ条件は、
Ｎが２より大きいか、または２に等しい整数である、ＵＥのＮ個の第１のセルのパワーヘッドルームのうちのいずれか２つの第１のセルのパワーヘッドルーム間の比率が、第１のプリセット閾値より大きいか、または第１のプリセット閾値に等しいこと、または
ＵＥのパワーヘッドルームが第２のプリセット閾値未満であり、ＵＥのパワーヘッドルームが、ＵＥの最大伝送パワー、一次セルのＰＵＣＣＨパワー、二次セルのＰＵＣＣＨパワー、一次セルの物理アップリンク共有チャネルＰＵＳＣＨパワー、および／または二次セルのＰＵＳＣＨパワーに従って獲得されること、または
ＵＥの第１のセルが変更されること
を含む。
【００３８】
第３の態様の第１０の可能実施態様方式を参照すると、第３の態様の第１１の可能実施態様方式では、ＵＥの第１のセルが変更されることは、
ＵＥの少なくとも１つの第１のセルが活動化されるか、または
ＵＥの少なくとも１つの第１のセルのＰＵＣＣＨが活動化されるか、または
ＵＥの少なくとも１つの第１のセルが非活動化されるか、または
ＵＥの少なくとも１つの第１のセルのＰＵＣＣＨが非活動化されるか、または
ＰＵＣＣＨがＵＥの少なくとも１つのセルに対して構成されるか、または
ＰＵＣＣＨがＵＥの少なくとも１つの第１のセルに対して脱構成されるか、または、ＰＵＣＣＨを含む少なくとも１つのセルがＵＥのために追加されるように構成される
ことを含む。
【００３９】
第３の態様の第１０の可能実施態様方式または第１１の可能実施態様方式を参照すると、第３の態様の第１２の可能実施態様方式では、ＰＨは、
一次セルのＰＵＣＣＨを使用することによって伝送を実施するための、ＵＥのためのパワーヘッドルーム、
二次セルのＰＵＣＣＨを使用することによって伝送を実施するための、ＵＥのためのパワーヘッドルーム、または
一次セルのＰＵＣＣＨおよび二次セルのＰＵＣＣＨの両方を使用することによって伝送を実施するための、ＵＥのためのパワーヘッドルーム
の情報のうちの少なくとも１つを含む。
【００４０】
第４の態様によれば、本発明の実施形態はＰＵＣＣＨ構成装置を提供し、ＰＵＣＣＨ構成装置は基地局の中に配置され、
対応関係指示情報を決定するように構成された処理モジュールであって、対応関係指示情報は、ＵＥの現在使用されている対応関係を指示するために使用され、対応関係が第１のセルおよび第１のセルに対応する第２のセルに関する情報を含み、第１のセルが、物理アップリンク制御チャネルＰＵＣＣＨが既に構成されているセルであり、第２のセルのアップリンクフィードバック情報が、第２のセルに対応する第１のセルのＰＵＣＣＨを使用することによって運ばれる処理モジュールと、
対応関係指示情報をＵＥに送るように構成された送信モジュールと
を含む。
【００４１】
第４の態様を参照すると、第４の態様の第１の可能実施態様方式では、対応関係指示情報は、現在使用されている第１のセルおよび現在使用されている第１のセルに対応する第２のセルに関する情報を含む。
【００４２】
第４の態様を参照すると、第４の態様の第２の可能実施態様方式では、送信モジュールは、第１の対応関係をＵＥに送るようにさらに構成され、第１の対応関係は、第１のセルおよび第１のセルに対応する第２のセルに関する情報を含み、
対応関係指示情報は、第１の対応関係を活動化する指示情報を含む。
【００４３】
第４の態様を参照すると、第４の態様の第３の可能実施態様方式では、送信モジュールは、第１の対応関係および第２の対応関係をＵＥに送るようにさらに構成され、第１の対応関係および第２の対応関係は、第１のセルおよび第１のセルに対応する第２のセルに関する情報を含み、  対応関係指示情報は、第１の対応関係または第２の対応関係を活動化する指示情報を含む。
【００４４】
第４の態様の第３の可能実施態様方式を参照すると、第４の態様の第４の可能実施態様方式では、第１の対応関係は第１の通し番号をさらに含み、第２の対応関係は第２の通し番号をさらに含み、
第１の対応関係または第２の対応関係を活動化する指示情報は、活動化された対応関係の通し番号情報である。
【００４５】
第４の態様を参照すると、第４の態様の第５の可能実施態様方式では、対応関係指示情報は、少なくとも１つの非活動化された第１のセルに関する情報を含む。
【００４６】
第４の態様を参照すると、第４の態様の第６の可能実施態様方式では、対応関係指示情報は、少なくとも１つの活動化された第１のセルに関する情報を含む。
【００４７】
第４の態様、または第４の態様の第１の可能実施態様方式乃至第６の可能実施態様方式のうちのいずれか１つを参照すると、第４の態様の第７の可能実施態様方式では、送信モジュールは、ＵＥが非活動化指示に従って少なくとも１つの第１のセルを非活動化し、第１のセルに対する対応関係を有するすべての第２のセルを非活動化するよう、非活動化指示をＵＥに送るようにさらに構成される。
【００４８】
第５の態様によれば、本発明の実施形態はＰＵＣＣＨ構成装置を提供し、ＰＵＣＣＨ構成装置はユーザ機器ＵＥの中に配置され、
基地局によって送られる対応関係指示情報を受け取るように構成された受信機であって、対応関係指示情報は、現在使用されている対応関係を指示するために使用され、対応関係が第１のセルおよび第１のセルに対応する第２のセルに関する情報を含み、第１のセルが、物理アップリンク制御チャネルＰＵＣＣＨが既に構成されているセルであり、第２のセルのアップリンクフィードバック情報が、第２のセルに対応する第１のセルのＰＵＣＣＨを使用することによって運ばれる受信機と、
現在使用されている対応関係に従って、第２のセルのアップリンクフィードバック情報を送るために使用されるＰＵＣＣＨを決定するように構成されたプロセッサと
を含む。
【００４９】
第５の態様を参照すると、第５の態様の第１の可能実施態様方式では、対応関係指示情報は、現在使用されている第１のセルおよび現在使用されている第１のセルに対応する第２のセルに関する情報を含む。
【００５０】
第５の態様を参照すると、第５の態様の第２の可能実施態様方式では、受信機は、基地局によって送られる第１の対応関係を受け取るようにさらに構成され、第１の対応関係は、第１のセルおよび第１のセルに対応する第２のセルに関する情報を含み、
対応関係指示情報は、第１の対応関係を活動化する指示情報を含む。
【００５１】
第５の態様を参照すると、第５の態様の第３の可能実施態様方式では、受信機は、基地局によって送られる第１の対応関係および第２の対応関係を受け取るようにさらに構成され、第１の対応関係および第２の対応関係は、第１のセルおよび第１のセルに対応する第２のセルに関する情報を含み、
対応関係指示情報は、第１の対応関係または第２の対応関係を活動化する指示情報を含む。
【００５２】
第５の態様の第３の可能実施態様方式を参照すると、第５の態様の第４の可能実施態様方式では、第１の対応関係は第１の通し番号をさらに含み、第２の対応関係は第２の通し番号をさらに含み、
第１の対応関係または第２の対応関係を活動化する指示情報は、活動化された対応関係の通し番号情報であり、
プロセッサは、活動化された対応関係の通し番号情報に対応する対応関係を活動化するようにさらに構成される。
【００５３】
第５の態様を参照すると、第５の態様の第５の可能実施態様方式では、対応関係指示情報は、少なくとも１つの非活動化された第１のセルに関する情報を含み、
プロセッサは、少なくとも１つの非活動化された第１のセルのＰＵＣＣＨを非活動化し、かつ、非活動化された第１のセルに対応する第２のセルと活動状態にある第１のセルとの間の対応関係を確立するようにさらに構成される。
【００５４】
第５の態様を参照すると、第５の態様の第６の可能実施態様方式では、対応関係指示情報は、少なくとも１つの活動化された第１のセルに関する情報を含み、
プロセッサは、少なくとも１つの活動化された第１のセルのＰＵＣＣＨを活動化し、かつ、活動化された第１のセルと第２のセルの間の対応関係を確立するようにさらに構成される。
【００５５】
第５の態様、または第５の態様の第１の可能実施態様方式乃至第６の可能実施態様方式のうちのいずれか１つを参照すると、第５の態様の第７の可能実施態様方式では、受信機は、とりわけ、Ｌ１の瞬間に、媒体アクセス制御層制御要素ＭＡＣ  ＣＥまたは物理ダウンリンク制御チャネルＰＤＣＣＨを使用することによって対応関係指示情報を受け取り、かつ、Ｓが正の数であるＬ１＋Ｓの瞬間に、対応関係指示情報によって指示される対応関係を使用するように構成されるか、またはＬ１の瞬間に、無線資源制御ＲＲＣ信号発信を使用することによって対応関係指示情報を受け取り、かつ、Ｌ１＋Ｓの瞬間に、対応関係指示情報によって指示される対応関係を使用するように構成される。
【００５６】
第５の態様、または第５の態様の第１の可能実施態様方式乃至第７の可能実施態様方式のうちのいずれか１つを参照すると、第５の態様の第８の可能実施態様方式では、受信機は、基地局によって送られる非活動化指示を受け取るようにさらに構成され、プロセッサは、非活動化指示に従って少なくとも１つの第１のセルを非活動化し、かつ、第１のセルに対する対応関係を有するすべての第２のセルを非活動化するようにさらに構成される。
【００５７】
第５の態様、または第５の態様の第１の可能実施態様方式乃至第７の可能実施態様方式のうちのいずれか１つを参照すると、第５の態様の第９の可能実施態様方式では、第１のセルに対応する第２のセルは、第１の二次タイミング進みグループおよび第２のタイミング進みグループである少なくとも２つのタイミング進みグループに属し、プロセッサは、第１のセルを含む第１の二次タイミング進みグループに対応するアップリンク時間整列タイマが時間切れになると、プロセッサによって、第１の二次タイミング進みグループ内のセルに対応するサウンディング基準信号ＳＲＳ資源を解放し、かつ、プロセッサによって以下の処理、すなわち
プロセッサによって、第１のセルに対応する第２のセルに対して構成されたＣＱＩ資源を解放する処理であって、第２のセルが、第２のタイミング進みグループに属する第２のセル、および第１の二次タイミング進みグループに属する第２のセルを含む処理、
プロセッサによって、第１のセルに対応し、かつ、第２のタイミング進みグループに属する第２のセルに対して構成されたＳＲＳ資源を解放し、かつ／またはアップリンク許可、ダウンリンク許可、および／または第２のセルに対応するＨＡＲＱバッファ情報をクリアする処理、
プロセッサによって、第１のセルに対応し、かつ、第２のタイミング進みグループに属する第２のセルを非活動化する処理、
プロセッサによって、第１のセルに対応し、かつ、第２のタイミング進みグループに属する第２のセルに対して構成されたアップリンク伝送を停止する処理、または
プロセッサによって、第２のタイミング進みグループのアップリンク時間整列タイマを停止する処理であって、第２のタイミング進みグループに含まれているすべてのセルが、第１の二次タイミング進みグループに含まれている第１のセルに対応する第２のセルである処理
のうちの少なくとも１つを実施するようにさらに構成される。
【００５８】
第５の態様を参照すると、第５の態様の第１０の可能実施態様方式では、装置は、
トリガ条件が満たされたことを決定し、かつ、パワーヘッドルームＰＨを報告するように構成された送信機
をさらに含み、
トリガ条件は、
Ｎが２より大きいか、または２に等しい整数である、ＵＥのＮ個の第１のセルのパワーヘッドルームのうちのいずれか２つの第１のセルのパワーヘッドルーム間の比率が、第１のプリセット閾値より大きいか、または第１のプリセット閾値に等しいこと、または
ＵＥのパワーヘッドルームが第２のプリセット閾値未満であり、ＵＥのパワーヘッドルームが、ＵＥの最大伝送パワー、一次セルのＰＵＣＣＨパワー、二次セルのＰＵＣＣＨパワー、一次セルの物理アップリンク共有チャネルＰＵＳＣＨパワー、および／または二次セルのＰＵＳＣＨパワーに従って獲得されること、または
ＵＥの第１のセルが変更されること
を含む。
【００５９】
第５の態様の第１０の可能実施態様方式を参照すると、第５の態様の第１１の可能実施態様方式では、ＵＥの第１のセルが変更されることは、
ＵＥの少なくとも１つの第１のセルが活動化されるか、または
ＵＥの少なくとも１つの第１のセルのＰＵＣＣＨが活動化されるか、または
ＵＥの少なくとも１つの第１のセルが非活動化されるか、または
ＵＥの少なくとも１つの第１のセルのＰＵＣＣＨが非活動化されるか、または
ＰＵＣＣＨがＵＥの少なくとも１つのセルに対して構成されるか、または
ＰＵＣＣＨがＵＥの少なくとも１つの第１のセルに対して脱構成されるか、または、ＰＵＣＣＨを含む少なくとも１つのセルがＵＥのために追加されるように構成される
ことを含む。
【００６０】
第５の態様の第１０の可能実施態様方式または第１１の可能実施態様方式を参照すると、第５の態様の第１２の可能実施態様方式では、ＰＨは、
一次セルのＰＵＣＣＨを使用することによって伝送を実施するための、ＵＥのためのパワーヘッドルーム、
二次セルのＰＵＣＣＨを使用することによって伝送を実施するための、ＵＥのためのパワーヘッドルーム、または
一次セルのＰＵＣＣＨおよび二次セルのＰＵＣＣＨの両方を使用することによって伝送を実施するための、ＵＥのためのパワーヘッドルーム
の情報のうちの少なくとも１つを含む。
【００６１】
第６の態様によれば、本発明の実施形態はＰＵＣＣＨ構成装置を提供し、ＰＵＣＣＨ構成装置は基地局の中に配置され、
対応関係指示情報を決定するように構成されたプロセッサであって、対応関係指示情報は、ＵＥの現在使用されている対応関係を指示するために使用され、対応関係が第１のセルおよび第１のセルに対応する第２のセルに関する情報を含み、第１のセルが、物理アップリンク制御チャネルＰＵＣＣＨが既に構成されているセルであり、第２のセルのアップリンクフィードバック情報が、第２のセルに対応する第１のセルのＰＵＣＣＨを使用することによって運ばれるプロセッサと、
対応関係指示情報をＵＥに送るように構成された送信機と
を含む。
【００６２】
第６の態様を参照すると、第６の態様の第１の可能実施態様方式では、対応関係指示情報は、現在使用されている第１のセルおよび現在使用されている第１のセルに対応する第２のセルに関する情報を含む。
【００６３】
第６の態様を参照すると、第６の態様の第２の可能実施態様方式では、送信機は、第１の対応関係をＵＥに送るようにさらに構成され、第１の対応関係は、第１のセルおよび第１のセルに対応する第２のセルに関する情報を含み、
対応関係指示情報は、第１の対応関係を活動化する指示情報を含む。
【００６４】
第６の態様を参照すると、第６の態様の第３の可能実施態様方式では、送信機は、第１の対応関係および第２の対応関係をＵＥに送るようにさらに構成され、第１の対応関係および第２の対応関係は、第１のセルおよび第１のセルに対応する第２のセルに関する情報を含み、
対応関係指示情報は、第１の対応関係または第２の対応関係を活動化する指示情報を含む。
【００６５】
第６の態様の第３の可能実施態様方式を参照すると、第６の態様の第４の可能実施態様方式では、第１の対応関係は第１の通し番号をさらに含み、第２の対応関係は第２の通し番号をさらに含み、
第１の対応関係または第２の対応関係を活動化する指示情報は、活動化された対応関係の通し番号情報である。
【００６６】
第６の態様を参照すると、第６の態様の第５の可能実施態様方式では、対応関係指示情報は、少なくとも１つの非活動化された第１のセルに関する情報を含む。
【００６７】
第６の態様を参照すると、第６の態様の第６の可能実施態様方式では、対応関係指示情報は、少なくとも１つの活動化された第１のセルに関する情報を含む。
【００６８】
第６の態様、または第６の態様の第１の可能実施態様方式乃至第６の可能実施態様方式のうちのいずれか１つを参照すると、第６の態様の第７の可能実施態様方式では、送信機は、ＵＥが非活動化指示に従って少なくとも１つの第１のセルを非活動化し、第１のセルに対する対応関係を有するすべての第２のセルを非活動化するよう、非活動化指示をＵＥに送るようにさらに構成される。
【００６９】
本発明の実施形態において提供されるＰＵＣＣＨ構成方法および装置によれば、ＵＥは、基地局によって送られる対応関係指示情報を受け取り、対応関係指示情報は、現在使用されている対応関係を指示するために使用され、ＵＥは、現在使用されている対応関係に従って、第２のセルのアップリンクフィードバック情報を送るために使用されるＰＵＣＣＨを決定する。第１のセルと第２のセルの間の対応関係を設定することにより、ＰＵＣＣＨは、ＵＥの複数のセルに対して構成されることが可能であり、複数のセルのＰＵＣＣＨは、ＰＵＣＣＨが構成されるセルの負荷を小さくするために、共同してアップリンクフィードバック情報を運ぶ。さらに、使用される対応関係は、活動化または非活動化などの対応関係指示情報を使用することによって調整され、それにより、使用される対応関係を速やかに、かつ、動的に調整することができる。
【図面の簡単な説明】
【００７０】
本発明の実施形態における、または従来技術における技術的解決法をより明確に説明するために、以下、実施形態または従来技術を説明するために必要な添付の図面を簡単に説明する。明らかなように、以下の説明における添付の図面は、本発明のいくつかの実施形態を示したものにすぎず、当業者は、創造的な努力なしに、依然としてこれらの添付の図面から他の図面を引き出すことがある。
【図１】本発明によるＰＵＣＣＨ構成方法の実施形態１の概略フローチャートである。
【図２】本発明によるＰＵＣＣＨ構成方法の実施形態２の概略フローチャートである。
【図３】本発明によるＰＵＣＣＨ構成装置の実施形態１の概略構造図である。
【図４】本発明によるＰＵＣＣＨ構成装置の実施形態２の概略構造図である。
【図５】本発明によるＰＵＣＣＨ構成装置の実施形態３の概略構造図である。
【図６】本発明によるＰＵＣＣＨ構成装置の実施形態４の概略構造図である。
【図７】本発明によるＰＵＣＣＨ構成装置の実施形態５の概略構造図である。
【図８】本発明によるＰＵＣＣＨ構成装置の実施形態６の概略構造図である。
【発明を実施するための形態】
【００７１】
以下、本発明の実施形態における技術的解決法について、本発明の実施形態における添付の図面を参照して、明確に、かつ、完全に説明する。明らかに、説明される実施形態は、本発明の実施形態の一部にすぎず、そのすべてというわけではない。本発明の実施形態に基づいて、創造的努力なしに当業者によって獲得されるすべての他の実施形態は、本発明の保護範囲の範疇であるものとする。
【００７２】
本発明においては、ＰＵＣＣＨは、同じＵＥの複数（少なくとも２つ）のセルに対して構成され、対応関係は、個々のセルのＰＵＣＣＨと、セルのＰＵＣＣＨを使用することによってアップリンクフィードバック情報を運ぶセルとの間で確立され、ＰＵＣＣＨは対応関係に従って決定され、ＰＵＣＣＨは、個々のセルのアップリンクフィードバック情報を運ぶために使用される。この方法によれば、アップリンクフィードバック情報は、ＰＵＣＣＨが構成されるセルの負荷を小さくするために、複数のＰＵＣＣＨを使用することによって運ばれる。
【００７３】
以下、特定の実施形態を使用することによって本発明の技術的解決法を詳細に説明する。以下、いくつかの特定の実施形態は互いに結合されることがあり、また、同じまたは同様の概念またはプロセスは、いくつかの実施形態では再度説明されないことがあり得る。
【００７４】
本明細書における以下の実施形態で説明される活動化／非活動化は、セルのＰＵＣＣＨの活動化／非活動化、またはセルのアップリンクおよび／またはダウンリンクの活動化／非活動化を含むことがある。セルのＰＵＣＣＨの活動化／非活動化は、セルのアップリンク／ダウンリンクデータ伝送状態に影響を及ぼすことのない、セルのＰＵＣＣＨ送信の開始／停止を含む。セルのアップリンク活動化は、セルのＰＵＣＣＨ送信およびアップリンクデータ伝送の開始を含む。セルのダウンリンク活動化は、セルのダウンリンクデータ伝送の開始を含む。セルのアップリンクおよびダウンリンク活動化は、セルのＰＵＣＣＨ送信、アップリンクデータ伝送およびダウンリンクデータ伝送の開始を含む。セルのアップリンク非活動化は、セルのＰＵＣＣＨ送信およびアップリンクデータ伝送の停止を含む。セルのダウンリンク非活動化は、セルのダウンリンクデータ伝送の停止を含む。セルのアップリンクおよびダウンリンク非活動化は、セルのＰＵＣＣＨ送信、アップリンクデータ伝送およびダウンリンクデータ伝送の停止を含む。
【００７５】
図１は、本発明によるＰＵＣＣＨ構成方法の実施形態１の略フローチャートである。図１に示されているように、この実施形態はＵＥによって実行され、また、この実施形態における方法は以下の通りである。
【００７６】
Ｓ１０１：ＵＥが基地局によって送られる対応関係指示情報を受け取り、対応関係指示情報は、現在使用されている対応関係を指示するために使用される。
【００７７】
対応関係は、第１のセルおよび第１のセルに対応する第２のセルに関する情報を含む。第１のセルは、ＰＵＣＣＨが既に構成されているセルであり、第２のセルのアップリンクフィードバック情報は、第２のセルに対応する第１のセルのＰＵＣＣＨを使用することによって運ばれる。アップリンクフィードバック情報は、チャネル状態指示情報（ｃｈａｎｎｅｌ  ｓｔａｔｕｓ  ｉｎｄｉｃａｔｉｏｎ、以下、短くしてＣＳＩ）、チャネル品質指示情報（ｃｈａｎｎｅｌ  ｑｕａｌｉｔｙ  ｉｎｄｉｃａｔｉｏｎ、以下、短くしてＣＱＩ）、および肯定応答（ａｃｋｎｏｗｌｅｄｇｅ、以下、短くしてＡＣＫ）および／または否定応答（Ｎｅｇａｔｉｖｅ  Ａｃｋｎｏｗｌｅｄｇｅｍｅｎｔ、以下、短くしてＮＡＣＫ）情報を含むことがある。第２のセルは、ＰＵＣＣＨが構成されるセルであるか、またはＰＵＣＣＨが構成されないセルである。１つの第１のセルは、１または複数の第２のセルに対応することがあり、第２のセルおよび第１のセルは同じセルであることがある。
【００７８】
とりわけ、対応関係指示情報が、現在使用されている対応関係を指示するために使用されることは、以下の実施態様方式を含むが、それらに限定されない。
【００７９】
第１の実施態様方式：対応関係指示情報は、現在使用されている第１のセルおよび現在使用されている第１のセルに対応する第２のセルに関する情報を含む。すなわち対応関係指示情報は、現在使用されている対応関係を指示するために、現在使用されている第１のセルおよび現在使用されている第１のセルに対応する第２のセルに関する情報を直接的に含む。
【００８０】
基地局は、ＵＥのための複数のセル、例えば、それぞれセル１、セル２、セル３、セル４、セル５、セル６、セル７およびセル８である８個のセルを構成し、セル１は一次セルであり、他のセルは二次セルであり、また、ＰＵＣＣＨは、セル１およびセル５に対して既に構成されていることが仮定されている。この場合、セル１およびセル５は第１のセルであり、セル１、セル２、セル３、セル４、セル５、セル６、セル７およびセル８は第２のセルである。セル１およびセル５は活動化された第１のセルであり、セル１、セル２、セル３およびセル４のアップリンクフィードバック情報は、セル１のＰＵＣＣＨを使用することによって運ばれ、セル５、セル６、セル７およびセル８のアップリンクフィードバック情報は、セル５のＰＵＣＣＨを使用することによって運ばれることが仮定されている。この場合、第１のセルであるセル１に対応する第２のセルは、セル１、セル２、セル３およびセル４であり、第１のセルであるセル５に対応するセルは、セル５、セル６、セル７およびセル８である。あるいはセル１、セル２、セル３、セル４およびセル５は、セル１を使用することによってフィードバックを実施し、セル６、セル７およびセル８は、セル５を使用することによってフィードバックを実施する。
【００８１】
Ｒが２より大きいか、または２に等しい整数であるＲ個の第１のセルが存在すると仮定すると、Ｒ個の対応関係が構成されるか、またはＲ−１個の対応関係のみが構成されることがあり、また、対応関係が構成されない第１のセルと、対応関係が構成されない別の第２のセルとの間に対応関係が存在することはデフォルトであり、またはＰＵＣＣＨの二次搬送波を含む第２のセルが、ＰＵＣＣＨが配置される搬送波のＰＵＣＣＨを使用するか、またはフィードバックを実施するための一次セルのＰＵＣＣＨを使用することはデフォルトであることに留意されたい。例として前の段落における例を使用すると、第１のセルはセル１およびセル５であり、セル１とセル１、セル２、セル３およびセル４との間の対応関係のみが指示されることがある。この場合、対応関係が構成されないセル５と、対応関係が構成されないセル５、セル６、セル７およびセル８との間に対応関係が存在することはデフォルトである。あるいはセル５とセル５、セル６、セル７およびセル８との間の対応関係のみが指示されることがある。この場合、対応関係が構成されないセル１と、対応関係が構成されないセル１、セル２、セル３およびセル４との間に対応関係が存在することはデフォルトである。あるいはセル５がフィードバックを実施するためにセル５を使用することはデフォルトである。この場合、セル６、セル７およびセル８のみがフィードバックを実施するためにセル５を使用するように構成され、ＵＥは、セル１、セル２、セル３およびセル４がフィードバックを実施するためにセル１を使用すること、セル５、セル６、セル７およびセル８がフィードバックを実施するためにセル５を使用することを決定することがある。あるいはセル５がフィードバックを実施するためにセル１を使用することはデフォルトである。この場合、セル６、セル７およびセル８のみがフィードバックを実施するためにセル５を使用するように構成され、ＵＥは、セル１、セル２、セル３、セル４およびセル５がフィードバックを実施するためにセル１を使用すること、セル６、セル７およびセル８がフィードバックを実施するためにセル５を使用することを決定することがある。
【００８２】
第２の実施態様方式：ＵＥが基地局によって送られる対応関係指示情報を受け取る前に、ＵＥは、基地局によって送られる第１の対応関係を受け取り、第１の対応関係は、第１のセルおよび第１のセルに対応する第２のセルに関する情報を含み、対応関係指示情報は、第１の対応関係を活動化する指示情報を含む。これは、基地局が予め対応関係をＵＥに送り、次に対応関係を活動化する指示情報を送ることと等価である。
【００８３】
第３の実施態様方式：ＵＥが基地局によって送られる対応関係指示情報を受け取る前に、ＵＥは、基地局によって送られる第１の対応関係および第２の対応関係を受け取り、第１の対応関係および第２の対応関係は、第１のセルおよび第１のセルに対応する第２のセルに関する情報を含み、
対応関係指示情報は、第１の対応関係または第２の対応関係を活動化する指示情報を含む。
【００８４】
さらに、第１の対応関係は第１の通し番号をさらに含み、また、第２の対応関係は第２の通し番号をさらに含む。第１の対応関係または第２の対応関係を活動化する指示情報は、とりわけ、活動化された対応関係の通し番号情報であることがある。ＵＥによって、基地局によって送られた対応関係指示情報を受け取った後、方法は、ＵＥによって、活動化された対応関係の通し番号情報であり、指示情報中で搬送される通し番号情報である通し番号情報に対応する対応関係を活動化することをさらに含む。
【００８５】
すなわちＵＥは、複数のグループの対応関係を受け取り、個々のグループの対応関係は通し番号に対応している。基地局は、活動化された対応関係の通し番号情報を対応関係指示情報の中に含めることにより、そのグループの対応関係を使用するようにＵＥに命令する。
【００８６】
例えば第１の対応関係は、セル１がセル１、セル２、セル３およびセル４に対応し、セル５がセル５、セル６、セル７およびセル８に対応し、かつ、第１の対応関係に含まれている第１の通し番号がＫ１であることである。第２の対応関係は、セル１がセル１、セル２、セル３およびセル４に対応し、セル５がセル５およびセル８に対応し、セル６がセル６およびセル７に対応し、かつ、第２の対応関係に含まれている第２の通し番号がＫ２であることである。対応関係指示情報に含まれている活動化された対応関係はＫ２である。この場合、第２の対応関係が活動化される。この場合、使用される対応関係は、セル１がセル１、セル２、セル３およびセル４に対応し、セル５がセル５およびセル８に対応し、セル６がセル６およびセル７に対応することである。
【００８７】
第４の実施態様方式：対応関係指示情報は、少なくとも１つの非活動化された第１のセルに関する情報を含む。ＵＥによって、基地局によって送られた対応関係指示情報を受け取った後、方法は、ＵＥによって、少なくとも１つの非活動化された第１のセルのＰＵＣＣＨを非活動化し、非活動化された第１のセルに対応する第２のセルと活動状態にある第１のセルとの間の対応関係を確立することをさらに含む。
【００８８】
例えば活動化された第１のセルはセル１およびセル５であり、対応関係指示情報はセル５を非活動化する情報を含み、セル５の非活動化は、セル５のＰＵＣＣＨの非活動化を意味する。
【００８９】
対応関係指示情報に含まれている少なくとも１つの非活動化された第１のセルに関する情報に応答して、ＵＥは、少なくとも１つの非活動化された第１のセルのＰＵＣＣＨを非活動化し、かつ、非活動化された第１のセルに対応する第２のセルと活動化された第１のセルとの間の対応関係を確立する。
【００９０】
例として１つの非活動化された第１のセルを使用すると、非活動化は、第１のセルのＰＵＣＣＨの非活動化、または第１のセルのアップリンクおよびダウンリンク伝送の非活動化を含むことがある。例えばセル５のＰＵＣＣＨが非活動化され、ＵＥは、セル５のＰＵＣＣＨを非活動化し、かつ、セル５に対応するセル５、セル６、セル７およびセル８と活動化されたセル１との間の対応関係を確立する。この場合、使用される対応関係中の第１のセルはセル１のみであり、第１のセルおよび第１のセルに対応する第２のセルに関する情報は、セル１がセル１、セル２、セル３、セル４、セル５、セル６、セル７およびセル８に対応すること、すなわちセル１、セル２、セル３、セル４、セル５、セル６、セル７およびセル８のアップリンクフィードバック情報は、すべて、セル１のＰＵＣＣＨを使用することによって運ばれることである。あるいはセル５のアップリンクおよびダウンリンク伝送が非活動化され、ＵＥは、セル５のアップリンクおよびダウンリンクの両方を非活動化し、かつ、セル５に対応するセル６、セル７およびセル８と活動化されたセル１との間の対応関係を確立し、すなわちセル１、セル２、セル３、セル４、セル６、セル７およびセル８のアップリンクフィードバック情報は、すべて、セル１のＰＵＣＣＨを使用することによって運ばれる。セル５が非活動化され、したがって対応関係は調整される必要がない。
【００９１】
複数の活動化された第１のセルが存在し、例えば５つの活動化された第１のセルが存在し、３つの第１のセルがこのステップで非活動化される場合、３つの第１のセルのＰＵＣＣＨが非活動化され、３つの非活動化された第１のセルに対応する第２のセルが、活動化された第１のセルに調整される（すなわち非活動化されない２つの第１のセル）。とりわけ、基地局は調整方法を命令することがあり、または調整規則があらかじめ調整されることがあり、調整規則に従って調整が実施される。これは、本発明に限定されない。
【００９２】
任意選択で、非活動化された第１のセルに関する情報を受け取った後、ＵＥは、非活動化された第１のセルのサウンディング基準信号（Ｓｏｕｎｄｉｎｇ  Ｒｅｆｅｒｅｎｃｅ  Ｓｉｇｎａｌ、以下、短くしてＳＲＳ）およびスケジューリングリクエスト（Ｓｃｈｅｄｕｌｉｎｇ  Ｒｅｑｕｅｓｔ、以下、短くしてＳＲ）の送信を停止する。
【００９３】
第５の実施態様方式：対応関係指示情報は、少なくとも１つの活動化された第１のセルに関する情報を含む。ＵＥによって、基地局によって送られた対応関係指示情報を受け取った後、方法は、ＵＥによって、少なくとも１つの活動化された第１のセルのＰＵＣＣＨを活動化し、活動化された第１のセルと第２のセルの間の対応関係を確立することをさらに含む。活動化された第１のセルと第２のセルの間の対応関係は、基地局によって、予めＵＥに対して構成されるか、または活動化指示の中で搬送されることがある。あるいは対応関係は、予め定義された規則に基づかれることがある。
【００９４】
例えば活動化された第１のセルはセル１およびセル５であり、対応関係指示情報はセル６を活動化する情報を含み、セル６の活動化は、セル６のＰＵＣＣＨの活動化を意味する。
【００９５】
例として活動化している１つの第１のセルを使用すると、例えばセル６が活動化される。ＵＥは、セル６のＰＵＣＣＨを活動化し、セル６とセル６およびセル７の間の対応関係を確立し、かつ、セル５とセル５、セル６、セル７およびセル８との間の対応関係を、セル５とセル５およびセル８との間の対応関係に調整する。この場合、使用される対応関係は、セル１がセル１、セル２、セル３およびセル４に対応し、セル５がセル５およびセル８に対応し、セル６がセル６およびセル７に対応することである。
【００９６】
少なくとも１つの活動化された第１のセルが２または複数の場合、ＵＥは、少なくとも１つの活動化された第１のセルのＰＵＣＣＨを活動化し、活動化された第１のセルと第２のセルの間の対応関係を確立し、かつ、活動化された第１のセルと、活動化された第１のセルに対応する第２のセルとの間の先行する対応関係を削除する。とりわけ、基地局は、活動化された第１のセルと第２のセルの間の対応関係を確立するように命令することがあり、または規則が予め定義されることがあり、対応関係は、予め定義された規則に従って確立される。これは、本発明に限定されない。
【００９７】
対応関係指示情報が現在使用されている対応関係を如何にして指示するかは、第１のセルおよび第１のセルに対応する第２のセルに関する情報が情報に従って推論され得る限り、本発明に限定されない。
【００９８】
Ｓ１０２：ＵＥが、現在使用されている対応関係に従って、第２のセルのアップリンクフィードバック情報を送るために使用されるＰＵＣＣＨを決定する。
【００９９】
Ｓ１０１における例によれば、第１の実施態様方式または第２の実施態様方式に対して、使用される対応関係は、セル１がセル１、セル２、セル３およびセル４に対応し、セル５がセル５、セル６、セル７およびセル８に対応することである。したがってセル１、セル２、セル３またはセル４のアップリンクフィードバック情報は、セル１のＰＵＣＣＨを使用することによって送られる。セル５、セル６、セル７またはセル８のアップリンクフィードバック情報は、セル５のＰＵＣＣＨを使用することによって送られる。
【０１００】
第３の実施態様方式に対しては、使用される対応関係は、セル１がセル１、セル２、セル３およびセル４に対応し、セル５がセル５およびセル８に対応し、セル６がセル６およびセル７に対応することである。したがってセル１、セル２、セル３またはセル４のアップリンクフィードバック情報は、セル１のＰＵＣＣＨを使用することによって送られ、セル５またはセル８のアップリンクフィードバック情報は、セル５のＰＵＣＣＨを使用することによって送られ、セル６またはセル７のアップリンクフィードバック情報は、セル６のＰＵＣＣＨを使用することによって送られる。
【０１０１】
第４の実施態様方式に対しては、使用される対応関係は、セル１がセル１、セル２、セル３、セル４、セル５、セル６、セル７およびセル８に対応することである。したがってセル１、セル２、セル３、セル４、セル５、セル６、セル７およびセル８のアップリンクフィードバック情報は、セル１のＰＵＣＣＨを使用することによって送られる。
【０１０２】
第５の実施態様方式に対しては、使用される対応関係は、セル１がセル１、セル２、セル３およびセル４に対応し、セル５がセル５およびセル８に対応し、セル６がセル６およびセル７に対応することである。したがってセル１、セル２、セル３およびセル４のアップリンクフィードバック情報は、セル１のＰＵＣＣＨを使用することによって送られ、セル５およびセル８のアップリンクフィードバック情報は、セル５のＰＵＣＣＨを使用することによって送られ、セル６およびセル７のアップリンクフィードバック情報は、セル６のＰＵＣＣＨを使用することによって送られる。
【０１０３】
この実施形態では、ＵＥは、基地局によって送られる対応関係指示情報を受け取り、対応関係指示情報は、現在使用されている対応関係を指示するために使用され、ＵＥは、現在使用されている対応関係に従って、第２のセルのアップリンクフィードバック情報を送るために使用されるＰＵＣＣＨを決定する。第１のセルと第２のセルの間の対応関係を設定することにより、ＰＵＣＣＨは、ＵＥの複数のセルに対して構成されることが可能であり、複数のセルのＰＵＣＣＨは、ＰＵＣＣＨが構成されるセルの負荷を小さくするために、共同してアップリンクフィードバック情報を運ぶ。さらに、使用される対応関係は、活動化または非活動化などの対応関係指示情報を使用することによって調整され、それにより、使用される対応関係を速やかに、かつ、動的に調整することができる。
【０１０４】
上記実施形態では、ＵＥは、Ｌ１の瞬間に、媒体アクセス制御層制御要素（Ｍｅｄｉｕｍ  Ａｃｃｅｓｓ  Ｃｏｎｔｒｏｌ  ｌａｙｅｒ  Ｃｏｎｔｒｏｌ  Ｅｌｅｍｅｎｔ、以下、短くしてＭＡＣ  ＣＥ）または物理ダウンリンク制御チャネルＰＤＣＣＨを使用することによって対応関係指示情報を受け取り、Ｓが正の数であるＬ１＋Ｓの瞬間に、対応関係指示情報によって指示される対応関係を使用する。
【０１０５】
あるいは、ＵＥは、Ｌ１の瞬間に、無線資源制御（Ｒａｄｉｏ  Ｒｅｓｏｕｒｃｅ  Ｃｏｎｔｒｏｌ、以下、短くしてＲＲＣ）信号発信を使用することによって対応関係指示情報を受け取り、Ｌ１＋Ｓの瞬間に、対応関係指示情報によって指示される対応関係を使用することがある。より具体的には、基地局によって送られる対応関係指示情報は、Ｌ１番目のフレームの中に受け取られることがあり、対応関係指示情報によって指示される対応関係は、Ｓ個のフレームの遅延の後に使用を開始することがある。
【０１０６】
上記実施形態では、方法は、基地局によって非活動化指示をＵＥに送ることと、ＵＥによって、基地局から非活動化指示を受け取り、非活動化指示に従って少なくとも１つの第１のセルを非活動化し、第１のセルに対する対応関係を有するすべての第２のセルを非活動化することとをさらに含む。例えば使用される対応関係は、セル１がセル１、セル２、セル３およびセル４に対応し、また、セル５がセル５、セル６、セル７およびセル８に対応し、かつ、非活動化指示がセル５を非活動化するように命令することである。この場合、セル５が非活動化され、セル５に対応するセル５、セル６、セル７およびセル８が非活動化される。すなわち活動状態にあるＵＥの第１のセルはセル１のみであり、活動状態にある第２のセルは、セル１、セル２、セル３およびセル４のみである。
【０１０７】
上記実施形態では、第１のセルに対応する第２のセルは、第１の二次タイミング進みグループおよび第２のタイミング進みグループである少なくとも２つのタイミング進みグループに属している。第１の二次タイミング進みグループは少なくとも第１のセルを含み、第１のセルは二次セルである。第２のタイミング進みグループは、第１の二次タイミング進みグループに含まれている第２のセルとは異なる別の第２のセルを含む。方法は、第１のセルを含む第１の二次タイミング進みグループ（Ｓｅｃｏｎｄａｒｙ  Ｔｉｍｉｎｇ  Ａｄｖａｎｃｅ  Ｇｒｏｕｐ、以下、短くしてｓＴＡＧ）に対応するアップリンク時間整列タイマが時間切れになると、ＵＥによって、第１の二次タイミング進みグループ内のセルに対応するサウンディング基準信号（Ｓｏｕｎｄｉｎｇ  Ｒｅｆｅｒｅｎｃｅ  Ｓｉｇｎａｌ、以下、短くしてＳＲＳ）資源を解放することであって、第１の二次タイミング進みグループおよび第２のタイミング進みグループが異なるタイミング進みグループであり、異なるタイマが使用されていることをより明確に指示することをさらに含む。さらに、方法は、ＵＥによって以下の処理、すなわち
１）ＵＥによって、第１のセルに対応する第２のセルに対して構成されたチャネル品質インジケータ（Ｃｈａｎｎｅｌ  Ｑｕａｌｉｔｙ  Ｉｎｄｉｃａｔｏｒ、以下、短くしてＣＱＩ）資源を解放する処理であって、第２のセルが、第２のタイミング進みグループに属する第２のセル、および第１の二次タイミング進みグループに属する第２のセルを含む処理、
２）ＵＥによって、第１のセルに対応し、かつ、第２のタイミング進みグループに属する第２のセルに対して構成されたＳＲＳ資源を解放し、かつ／またはアップリンク許可、ダウンリンク許可、および／または第２のセルに対応するハイブリッドＨＡＲＱバッファ情報をクリアする処理、
３）ＵＥによって、第１のセルに対応し、かつ、第２のタイミング進みグループに属する第２のセルを非活動化する処理、
４）ＵＥによって、第１のセルに対応し、かつ、第２のタイミング進みグループに属する第２のセルに対して構成されたアップリンク伝送を停止する処理、または
５）ＵＥによって、第２のタイミング進みグループのアップリンク時間整列タイマを停止する処理であって、第２のタイミング進みグループに含まれているすべてのセルが、第１の二次タイミング進みグループに含まれている第１のセルに対応する第２のセルである処理
のうちの少なくとも１つを実施することをさらに含む。
【０１０８】
とりわけ、既存のＬＴＥシステムでは、ＵＥは、基地局によって送られる時間整列コマンドを受け取り、次に、ＵＥのアップリンク送信タイミング進みを調整し、ＵＥは、ダウンリンクタイミング情報およびアップリンク送信タイミング進みに従ってアップリンク送信時間を決定する。異なるサービングセルは、異なるアップリンク送信タイミング進みに従って、異なるタイミング進みグループ（Ｔｉｍｉｎｇ  Ａｄｖａｎｃｅ  Ｇｒｏｕｐ、以下、短くしてＴＡＧ）に分類される。同じＴＡＧ内のサービングセルは、同じタイミング進みを有している。例えば一次タイミング進みグループ（Ｐｒｉｍａｒｙ  ＴＡＧ、以下、短くしてｐＴＡＧ）は、一次セルを含むＴＡＧグループを指示し、また、二次タイミング進みグループ（Ｓｅｃｏｎｄａｒｙ  ＴＡＧ、以下、短くしてｓＴＡＧ）は、二次セルを含むＴＡＧグループを指示する。１つのＵＥに対して１つのｐＴＡＧのみが存在し、複数のｓＴＡＧが存在することがある。ｐＴＡＧは一次セルのＰＵＣＣＨを含む。２つ以上のＰＵＣＣＨが構成される場合、ｓＴＡＧは、ＰＵＣＣＨが構成される二次セルを同じく含むことがある。個々のＴＡＧグループに対して、ＵＥは、アップリンク時間整列タイマを維持し、ＵＥは、時間整列コマンドを受け取ると、アップリンク時間整列タイマを再始動する。ＵＥが時間整列タイマの時間長さ以内に時間整列コマンドを受け取らない場合、ＵＥは、時間整列タイマが時間切れになったことを決定し、かつ、アップリンク時間整列タイマに対応するＴＡＧに含まれているサービングセルのハイブリッド自動再送要求（Ｈｙｂｒｉｄ  Ａｕｔｏｍａｔｉｃ  Ｒｅｐｅａｔ  ｒｅＱｕｅｓｔ、以下、短くしてＨＡＲＱ）バッファをクリアする。ＰＵＣＣＨが構成される二次セルを含むｓＴＡＧに対応するアップリンク時間整列タイマが構成されると、このＴＡＧのアップリンク伝送が影響されるだけでなく、ＰＵＣＣＨに対応し、このＴＡＧに属していない別の第２のセルのアップリンク伝送も同じく影響される。この実施形態では、ＵＥの処理プロセスは、ＰＵＣＣＨが構成される二次セルを含むｓＴＡＧに対応するアップリンク時間整列タイマが構成される場合のために設計される。
【０１０９】
基地局は、ＵＥのための複数のセル、例えば、それぞれセル１、セル２、セル３、セル４、セル５、セル６、セル７およびセル８である８個のセルを構成し、セル１は一次セルであり、他のセルは二次セルであり、ＰＵＣＣＨは、セル１およびセル５に対して既に構成されていることが仮定されている。この場合、セル１およびセル５は第１のセルである。セル１およびセル５は活動化された第１のセルであり、セル１、セル２、セル３およびセル４のアップリンクフィードバック情報は、セル１のＰＵＣＣＨを使用することによって運ばれ、セル５、セル６、セル７およびセル８のアップリンクフィードバック情報は、セル５のＰＵＣＣＨを使用することによって運ばれることが仮定されている。この場合、第１のセルであるセル１に対応する第２のセルは、セル１、セル２、セル３およびセル４であり、第１のセルであるセル５に対応するセルは、セル５、セル６、セル７およびセル８である。さらに、ｐＴＡＧは、セル１、セル２、セル３およびセル４を含み、ｓＴＡＧ１はセル５およびセル６を含み、ｓＴＡＧ３はセル７およびセル８を含む。ｓＴＡＧ１に対応するアップリンク時間整列タイマが構成されると、ＵＥは、ｓＴＡＧ１に含まれているセル、すなわちセル５およびセル６に対応するＳＲＳ資源を解放する。さらに、ＵＥは、セル５に対応する第２のセルであるセル５、セル６、セル７およびセル８に対して構成されたＣＱＩ資源を解放し、および／またはＵＥは、セル７およびセル８に対応するＳＲＳ資源を解放する。あるいはＵＥは、セル７およびセル８を直接的に非活動化する。
【０１１０】
上記実施形態に基づいて、本発明のこの実施形態は、パワーヘッドルームレポート（Ｐｏｗｅｒ  Ｈｅａｄｒｏｏｍ  Ｒｅｐｏｒｔ、以下、短くしてＰＨＲ）方法をさらに提供し、それにより基地局は、ＰＨＲに従ってスケジューリングを実施する。ＵＥが、以下のトリガ条件が満たされたことを決定すると、ＵＥは、パワーヘッドルームＰＨ（Ｐｏｗｅｒ  Ｈｅａｄｒｏｏｍ、以下、短くしてＰＨ）を報告し、トリガ条件は、以下の条件のうちのいずれか１つを含む。
【０１１１】
１．ＰＨＲタイマが時間切れであること
【０１１２】
２．Ｎが２より大きいか、または２に等しい整数である、ＵＥのＮ個の第１のセルのパワーヘッドルームのうちのいずれか２つの第１のセルのパワーヘッドルーム間の比率が、第１のプリセット閾値より大きいか、または第１のプリセット閾値に等しいこと
【０１１３】
いずれか２つの第１のセルのパワーヘッドルーム間の比率が、第１のプリセット閾値より大きいか、または第１のプリセット閾値に等しい場合、それは、セル間の負荷が不平衡であり、ＰＨが報告されなければならないことを示しており、それにより基地局は、報告されたＰＨに従ってＰＵＣＣＨ構成を調整する。
【０１１４】
３．ＵＥのパワーヘッドルームが第２のプリセット閾値未満であること
【０１１５】
ＵＥのパワーヘッドルームは、ＵＥの最大伝送パワー、一次セルのＰＵＣＣＨパワー、二次セルのＰＵＣＣＨパワー、一次セルの物理アップリンク共有チャネル（Ｐｈｙｓｉｃａｌ  Ｕｐｌｉｎｋ  Ｓｈａｒｅｄ  Ｃｈａｎｎｅｌ、以下、短くしてＰＵＳＣＨ）パワー、および／または二次セルのＰＵＳＣＨパワーに従って獲得される。
【０１１６】
４．ＵＥの第１のセルが変更されること
【０１１７】
ＵＥの第１のセルが変更されることは、ＵＥの少なくとも１つの第１のセルが活動化されるか、またはＵＥの少なくとも１つの第１のセルのＰＵＣＣＨが活動化されるか、またはＵＥの少なくとも１つの第１のセルが非活動化されるか、またはＵＥの少なくとも１つの第１のセルのＰＵＣＣＨが非活動化されるか、またはＰＵＣＣＨがＵＥの少なくとも１つのセルに対して構成されるか、またはＰＵＣＣＨがＵＥの少なくとも１つの第１のセルに対して脱構成されるか、または、ＰＵＣＣＨを含む少なくとも１つのセルがＵＥのために追加されるように構成されることを含む。
【０１１８】
上記実施形態におけるＰＨは、一次セルのＰＵＣＣＨを使用することによって伝送を実施するための、ＵＥのためのパワーヘッドルーム、二次セルのＰＵＣＣＨを使用することによって伝送を実施するための、ＵＥのためのパワーヘッドルーム、または一次セルのＰＵＣＣＨおよび二次セルのＰＵＣＣＨの両方を使用することによって伝送を実施するための、ＵＥのためのパワーヘッドルームの情報のうちの少なくとも１つを含む。
【０１１９】
ＵＥは、ＰＨを基地局に報告するために、上記トリガ条件を使用することによってトリガされる。基地局は、ＵＥによって報告されたＰＨに従って、ＰＵＣＣＨが既に構成されているセルの負荷状態を学習し、かつ、ＰＨに従ってＰＵＣＣＨ構成を調整する。この方法によれば、ＰＵＣＣＨ構成はより適切であり、また、資源利用が改善される。
【０１２０】
図２は、本発明によるＰＵＣＣＨ構成方法の実施形態２の概略フローチャートである。この実施形態における方法は基地局によって実行され、また、この実施形態における方法は以下の通りである。
【０１２１】
Ｓ２０１：基地局が対応関係指示情報を決定する。
【０１２２】
対応関係指示情報は、ＵＥの現在使用されている対応関係を指示するために使用され、対応関係は、第１のセルおよび第１のセルに対応する第２のセルに関する情報を含む。第１のセルは、物理アップリンク制御チャネルＰＵＣＣＨが既に構成されているセルであり、第２のセルのアップリンクフィードバック情報は、第２のセルに対応する第１のセルのＰＵＣＣＨを使用することによって運ばれる。
【０１２３】
対応関係指示情報は、現在使用されている第１のセルおよび現在使用されている第１のセルに対応する第２のセルに関する情報を含み、または
基地局によって対応関係指示情報をＵＥに送ることの前に、方法は、
基地局によって第１の対応関係をＵＥに送ることであって、第１の対応関係が第１のセルおよび第１のセルに対応する第２のセルに関する情報を含み、対応関係指示情報が第１の対応関係を活動化する指示情報を含むこと
をさらに含み、または
基地局によって対応関係指示情報をＵＥに送ることの前に、方法は、
基地局によって第１の対応関係および第２の対応関係をＵＥに送ることであって、第１の対応関係および第２の対応関係が第１のセルおよび第１のセルに対応する第２のセルに関する情報を含み、対応関係指示情報が第１の対応関係または第２の対応関係を活動化する指示情報を含むこと
をさらに含む。
【０１２４】
より具体的には、第１の対応関係は第１の通し番号をさらに含み、第２の対応関係は第２の通し番号をさらに含み、第１の対応関係または第２の対応関係を活動化する指示情報は、活動化された対応関係の通し番号情報であり、または
対応関係指示情報は、少なくとも１つの非活動化された第１のセルに関する情報を含む。
【０１２５】
対応関係指示情報の詳細な説明については、図１に示されている実施形態におけるＳ１０１を参照されたい。詳細は、本明細書においては繰り返して説明されない。
【０１２６】
Ｓ２０２：基地局が対応関係指示情報をＵＥに送る。
【０１２７】
この実施形態では、基地局は対応関係指示情報を決定し、対応関係指示情報は、ＵＥの現在使用されている対応関係を指示するために使用され、対応関係は、第１のセルおよび第１のセルに対応する第２のセルに関する情報を含む。第１のセルは、物理アップリンク制御チャネルＰＵＣＣＨが既に構成されているセルであり、第２のセルのアップリンクフィードバック情報は、第２のセルに対応する第１のセルのＰＵＣＣＨを使用することによって運ばれ、したがってＵＥは、使用されている対応関係を指示している指示情報に従って、第２のセルのアップリンクフィードバック情報を送るために使用されるＰＵＣＣＨを決定する。第１のセルと第２のセルの間の対応関係を設定することにより、ＰＵＣＣＨは、ＵＥの複数のセルに対して構成されることが可能であり、複数のセルのＰＵＣＣＨは、ＰＵＣＣＨが構成されるセルの負荷を小さくするために、共同してアップリンクフィードバック情報を運ぶ。
【０１２８】
図３は、本発明によるＰＵＣＣＨ構成装置の実施形態１の概略構造図である。この実施形態におけるＰＵＣＣＨ構成装置は、ユーザ機器ＵＥの中に配置されることがある。この実施形態における装置は、受信モジュール３０１および処理モジュール３０２を含む。受信モジュール３０１は、基地局によって送られる対応関係指示情報を受け取るように構成され、対応関係指示情報は、現在使用されている対応関係を指示するために使用され、対応関係は、第１のセルおよび第１のセルに対応する第２のセルに関する情報を含む。第１のセルは、物理アップリンク制御チャネルＰＵＣＣＨが既に構成されているセルであり、第２のセルのアップリンクフィードバック情報は、第２のセルに対応する第１のセルのＰＵＣＣＨを使用することによって運ばれる。処理モジュール３０２は、現在使用されている対応関係に従って、第２のセルのアップリンクフィードバック情報を送るために使用されるＰＵＣＣＨを決定するように構成される。
【０１２９】
上記実施形態では、対応関係指示情報は、現在使用されている第１のセルおよび現在使用されている第１のセルに対応する第２のセルに関する情報を含む。
【０１３０】
上記実施形態では、受信モジュール３０１は、基地局によって送られる第１の対応関係を受け取るようにさらに構成され、第１の対応関係は、第１のセルおよび第１のセルに対応する第２のセルに関する情報を含み、
対応関係指示情報は、第１の対応関係を活動化する指示情報を含む。
【０１３１】
上記実施形態では、受信モジュール３０１は、基地局によって送られる第１の対応関係および第２の対応関係を受け取るようにさらに構成され、第１の対応関係および第２の対応関係は、第１のセルおよび第１のセルに対応する第２のセルに関する情報を含み、
対応関係指示情報は、第１の対応関係または第２の対応関係を活動化する指示情報を含む。
【０１３２】
上記実施形態では、第１の対応関係は第１の通し番号をさらに含み、また、第２の対応関係は第２の通し番号をさらに含み、第１の対応関係または第２の対応関係を活動化する指示情報は、活動化された対応関係の通し番号情報であり、処理モジュール３０２は、活動化された対応関係の通し番号情報に対応する対応関係を活動化するようにさらに構成される。
【０１３３】
上記実施形態では、対応関係指示情報は、少なくとも１つの非活動化された第１のセルに関する情報を含み、処理モジュール３０２は、少なくとも１つの非活動化された第１のセルのＰＵＣＣＨを非活動化し、かつ、非活動化された第１のセルに対応する第２のセルと活動状態にある第１のセルとの間の対応関係を確立するようにさらに構成される。
【０１３４】
上記実施形態では、対応関係指示情報は、少なくとも１つの活動化された第１のセルに関する情報を含み、処理モジュール３０２は、少なくとも１つの活動化された第１のセルのＰＵＣＣＨを活動化し、かつ、活動化された第１のセルと第２のセルの間の対応関係を確立するようにさらに構成される。
【０１３５】
上記実施形態では、受信モジュール３０１は、とりわけ、Ｌ１の瞬間に、媒体アクセス制御層制御要素ＭＡＣ  ＣＥまたは物理ダウンリンク制御チャネルＰＤＣＣＨを使用することによって対応関係指示情報を受け取り、かつ、Ｓが正の数であるＬ１＋Ｓの瞬間に、対応関係指示情報によって指示される対応関係を使用するように構成されるか、またはＬ１の瞬間に、無線資源制御ＲＲＣ信号発信を使用することによって対応関係指示情報を受け取り、かつ、Ｌ１＋Ｓの瞬間に、対応関係指示情報によって指示される対応関係を使用するように構成される。
【０１３６】
上記実施形態では、受信モジュール３０１は、基地局によって送られる非活動化指示を受け取るようにさらに構成され、処理モジュールは、非活動化指示に従って少なくとも１つの第１のセルを非活動化し、かつ、第１のセルに対する対応関係を有するすべての第２のセルを非活動化するようにさらに構成される。
【０１３７】
上記実施形態では、第１のセルに対応する第２のセルは、第１の二次タイミング進みグループおよび第２のタイミング進みグループである少なくとも２つのタイミング進みグループに属し、処理モジュール３０２は、第１のセルを含む第１の二次タイミング進みグループに対応するアップリンク時間整列タイマが時間切れになると、処理モジュール３０２によって、第１の二次タイミング進みグループ内のセルに対応するサウンディング基準信号ＳＲＳ資源を解放し、かつ、処理モジュールによって以下の処理、すなわち、処理モジュール３０２によって、第１のセルに対応する第２のセルに対して構成されたＣＱＩ資源を解放し、第２のセルが、第２のタイミング進みグループに属する第２のセル、および第１の二次タイミング進みグループに属する第２のセルを含む処理、処理モジュール３０２によって、第１のセルに対応し、かつ、第２のタイミング進みグループに属する第２のセルに対して構成されたＳＲＳ資源を解放し、かつ／またはアップリンク許可、ダウンリンク許可、および／または第２のセルに対応するＨＡＲＱバッファ情報をクリアする処理、処理モジュール３０２によって、第１のセルに対応し、かつ、第２のタイミング進みグループに属する第２のセルを非活動化する処理、処理モジュール３０２によって、第１のセルに対応し、かつ、第２のタイミング進みグループに属する第２のセルに対して構成されたアップリンク伝送を停止する処理、または処理モジュール３０２によって、第２のタイミング進みグループのアップリンク時間整列タイマを停止する処理であって、第２のタイミング進みグループに含まれているすべてのセルが、第１の二次タイミング進みグループに含まれている第１のセルに対応する第２のセルである処理のうちの少なくとも１つを実施するようにさらに構成される。
【０１３８】
この実施形態では、受信モジュールは、基地局によって送られる対応関係指示情報を受け取り、対応関係指示情報は、現在使用されている対応関係を指示するために使用され、処理モジュールは、現在使用されている対応関係に従って、第２のセルのアップリンクフィードバック情報を送るために使用されるＰＵＣＣＨを決定する。第１のセルと第２のセルの間の対応関係を設定することにより、ＰＵＣＣＨは、ＵＥの複数のセルに対して構成されることが可能であり、複数のセルのＰＵＣＣＨは、ＰＵＣＣＨが構成されるセルの負荷を小さくするために、共同してアップリンクフィードバック情報を運ぶ。さらに、使用される対応関係は、活動化または非活動化などの対応関係指示情報を使用することによって調整され、それにより、使用される対応関係を速やかに、かつ、動的に調整することができる。
【０１３９】
図４は、本発明によるＰＵＣＣＨ構成装置の実施形態２の概略構造図である。図３に示されている実施形態に基づいて、図４に示されている装置は、送信モジュール３０３をさらに含み、送信モジュール３０３は、トリガ条件が満たされたことを決定し、かつ、パワーヘッドルームＰＨを報告するように構成され、
トリガ条件は、
Ｎが２より大きいか、または２に等しい整数である、ＵＥのＮ個の第１のセルのパワーヘッドルームのうちのいずれか２つの第１のセルのパワーヘッドルーム間の比率が、第１のプリセット閾値より大きいか、または第１のプリセット閾値に等しいこと、または
ＵＥのパワーヘッドルームが第２のプリセット閾値未満であり、ＵＥのパワーヘッドルームが、ＵＥの最大伝送パワー、一次セルのＰＵＣＣＨパワー、二次セルのＰＵＣＣＨパワー、一次セルの物理アップリンク共有チャネルＰＵＳＣＨパワー、および／または二次セルのＰＵＳＣＨパワーに従って獲得されること、または
ＵＥの第１のセルが変更されること
を含む。
【０１４０】
上記実施形態では、ＵＥの第１のセルが変更されることは、
ＵＥの少なくとも１つの第１のセルが活動化されるか、または
ＵＥの少なくとも１つの第１のセルのＰＵＣＣＨが活動化されるか、または
ＵＥの少なくとも１つの第１のセルが非活動化されるか、または
ＵＥの少なくとも１つの第１のセルのＰＵＣＣＨが非活動化されるか、または
ＰＵＣＣＨがＵＥの少なくとも１つのセルに対して構成されるか、または
ＰＵＣＣＨがＵＥの少なくとも１つの第１のセルに対して脱構成されるか、または、ＰＵＣＣＨを含む少なくとも１つのセルがＵＥのために追加されるように構成される
ことを含む。
【０１４１】
上記実施形態では、ＰＨは、
一次セルのＰＵＣＣＨを使用することによって伝送を実施するための、ＵＥのためのパワーヘッドルーム、
二次セルのＰＵＣＣＨを使用することによって伝送を実施するための、ＵＥのためのパワーヘッドルーム、または
一次セルのＰＵＣＣＨおよび二次セルのＰＵＣＣＨの両方を使用することによって伝送を実施するための、ＵＥのためのパワーヘッドルーム
の情報のうちの少なくとも１つを含む。
【０１４２】
この実施形態では、送信モジュールは、トリガ条件が満たされたことを決定し、かつ、パワーヘッドルームＰＨを報告する。基地局は、ＵＥによって報告されたＰＨに従って、ＰＵＣＣＨが構成されるセルの負荷状態を学習し、かつ、ＰＨに従ってＰＵＣＣＨ構成を調整する。この方法によれば、ＰＵＣＣＨ構成はより適切であり、また、資源利用が改善される。
【０１４３】
図５は、本発明によるＰＵＣＣＨ構成装置の実施形態３の概略構造図である。この実施形態におけるＰＵＣＣＨ構成装置は基地局の中に配置される。この実施形態における装置は、処理モジュール５０１および送信モジュール５０２を含む。処理モジュール５０１は、対応関係指示情報を決定するように構成され、対応関係指示情報は、ＵＥの現在使用されている対応関係を指示するために使用され、対応関係は、第１のセルおよび第１のセルに対応する第２のセルに関する情報を含む。第１のセルは、物理アップリンク制御チャネルＰＵＣＣＨが既に構成されているセルであり、第２のセルのアップリンクフィードバック情報は、第２のセルに対応する第１のセルのＰＵＣＣＨを使用することによって運ばれる。送信モジュール５０２は、対応関係指示情報をＵＥに送るように構成される。
【０１４４】
上記実施形態では、対応関係指示情報は、現在使用されている第１のセルおよび現在使用されている第１のセルに対応する第２のセルに関する情報を含む。
【０１４５】
上記実施形態では、送信モジュール５０２は、第１の対応関係をＵＥに送るようにさらに構成され、第１の対応関係は、第１のセルおよび第１のセルに対応する第２のセルに関する情報を含み、
対応関係指示情報は、第１の対応関係を活動化する指示情報を含む。
【０１４６】
上記実施形態では、送信モジュール５０２は、第１の対応関係および第２の対応関係をＵＥに送るようにさらに構成され、第１の対応関係および第２の対応関係は、第１のセルおよび第１のセルに対応する第２のセルに関する情報を含み、
対応関係指示情報は、第１の対応関係または第２の対応関係を活動化する指示情報を含む。
【０１４７】
上記実施形態では、第１の対応関係は第１の通し番号をさらに含み、第２の対応関係は第２の通し番号をさらに含み、
第１の対応関係または第２の対応関係を活動化する指示情報は、活動化された対応関係の通し番号情報である。
【０１４８】
上記実施形態では、対応関係指示情報は、少なくとも１つの非活動化された第１のセルに関する情報を含む。
【０１４９】
上記実施形態では、対応関係指示情報は、少なくとも１つの活動化された第１のセルに関する情報を含む。
【０１５０】
上記実施形態では、送信モジュールは、非活動化指示をＵＥに送るようにさらに構成され、したがってＵＥは、非活動化指示に従って少なくとも１つの第１のセルを非活動化し、第１のセルに対する対応関係を有するすべての第２のセルを非活動化する。
【０１５１】
この実施形態における装置によれば、処理モジュールは対応関係指示情報を決定し、送信モジュールは対応関係指示情報をＵＥに送り、対応関係指示情報は、ＵＥの現在使用されている対応関係を指示するために使用され、対応関係は、第１のセルおよび第１のセルに対応する第２のセルに関する情報を含む。第１のセルは、物理アップリンク制御チャネルＰＵＣＣＨが既に構成されているセルであり、第２のセルのアップリンクフィードバック情報は、第２のセルに対応する第１のセルのＰＵＣＣＨを使用することによって運ばれ、したがってＵＥは、使用されている対応関係を指示している指示情報に従って、第２のセルのアップリンクフィードバック情報を送るために使用されるＰＵＣＣＨを決定する。第１のセルと第２のセルの間の対応関係を設定することにより、ＰＵＣＣＨは、ＵＥの複数のセルに対して構成されることが可能であり、複数のセルのＰＵＣＣＨは、ＰＵＣＣＨが構成されるセルの負荷を小さくするために、共同してアップリンクフィードバック情報を運ぶ。
【０１５２】
図６は、本発明によるＰＵＣＣＨ構成装置の実施形態４の概略構造図である。ＰＵＣＣＨ構成装置はユーザ機器ＵＥの中に配置される。この実施形態における装置は、受信機６０１およびプロセッサ６０２を含む。受信機６０１は、基地局によって送られる対応関係指示情報を受け取るように構成され、対応関係指示情報は、現在使用されている対応関係を指示するために使用され、対応関係は、第１のセルおよび第１のセルに対応する第２のセルに関する情報を含む。第１のセルは、物理アップリンク制御チャネルＰＵＣＣＨが既に構成されているセルであり、第２のセルのアップリンクフィードバック情報は、第２のセルに対応する第１のセルのＰＵＣＣＨを使用することによって運ばれる。プロセッサ６０２は、現在使用されている対応関係に従って、第２のセルのアップリンクフィードバック情報を送るために使用されるＰＵＣＣＨを決定するように構成される。
【０１５３】
上記実施形態では、対応関係指示情報は、現在使用されている第１のセルおよび現在使用されている第１のセルに対応する第２のセルに関する情報を含む。
【０１５４】
上記実施形態では、受信機６０１は、基地局によって送られる第１の対応関係を受け取るようにさらに構成され、第１の対応関係は、第１のセルおよび第１のセルに対応する第２のセルに関する情報を含み、
対応関係指示情報は、第１の対応関係を活動化する指示情報を含む。
【０１５５】
上記実施形態では、受信機６０１は、基地局によって送られる第１の対応関係および第２の対応関係を受け取るようにさらに構成され、第１の対応関係および第２の対応関係は、第１のセルおよび第１のセルに対応する第２のセルに関する情報を含み、
対応関係指示情報は、第１の対応関係または第２の対応関係を活動化する指示情報を含む。
【０１５６】
上記実施形態では、第１の対応関係は第１の通し番号をさらに含み、また、第２の対応関係は第２の通し番号をさらに含み、
第１の対応関係または第２の対応関係を活動化する指示情報は、活動化された対応関係の通し番号情報であり、
プロセッサ６０２は、活動化された対応関係の通し番号情報に対応する対応関係を活動化するようにさらに構成される。
【０１５７】
上記実施形態では、対応関係指示情報は、少なくとも１つの非活動化された第１のセルに関する情報を含み、
プロセッサ６０２は、少なくとも１つの非活動化された第１のセルのＰＵＣＣＨを非活動化し、かつ、非活動化された第１のセルに対応する第２のセルと活動状態にある第１のセルとの間の対応関係を確立するようにさらに構成される。
【０１５８】
上記実施形態では、対応関係指示情報は、少なくとも１つの活動化された第１のセルに関する情報を含み、
プロセッサ６０２は、少なくとも１つの活動化された第１のセルのＰＵＣＣＨを活動化し、かつ、活動化された第１のセルと第２のセルの間の対応関係を確立するようにさらに構成される。
【０１５９】
上記実施形態では、受信機６０１は、とりわけ、Ｌ１の瞬間に、媒体アクセス制御層制御要素ＭＡＣ  ＣＥまたは物理ダウンリンク制御チャネルＰＤＣＣＨを使用することによって対応関係指示情報を受け取り、かつ、Ｓが正の数であるＬ１＋Ｓの瞬間に、対応関係指示情報によって指示される対応関係を使用するように構成されるか、またはＬ１の瞬間に、無線資源制御ＲＲＣ信号発信を使用することによって対応関係指示情報を受け取り、かつ、Ｌ１＋Ｓの瞬間に、対応関係指示情報によって指示される対応関係を使用するように構成される。
【０１６０】
上記実施形態では、受信機６０１は、基地局によって送られる非活動化指示を受け取るようにさらに構成され、プロセッサ６０２は、非活動化指示に従って少なくとも１つの第１のセルを非活動化し、かつ、第１のセルに対する対応関係を有するすべての第２のセルを非活動化するようにさらに構成される。
【０１６１】
上記実施形態では、第１のセルに対応する第２のセルは、第１の二次タイミング進みグループおよび第２のタイミング進みグループである少なくとも２つのタイミング進みグループに属し、プロセッサ６０２は、第１のセルを含む第１の二次タイミング進みグループに対応するアップリンク時間整列タイマが時間切れになると、プロセッサによって、第１の二次タイミング進みグループ内のセルに対応するサウンディング基準信号ＳＲＳ資源を解放し、かつ、プロセッサによって以下の処理、すなわち、
プロセッサ６０２によって、第１のセルに対応する第２のセルに対して構成されたＣＱＩ資源を解放する処理であって、第２のセルが、第２のタイミング進みグループに属する第２のセル、および第１の二次タイミング進みグループに属する第２のセルを含む処理、
プロセッサ６０２によって、第１のセルに対応し、かつ、第２のタイミング進みグループに属する第２のセルに対して構成されたＳＲＳ資源を解放し、かつ／またはアップリンク許可、ダウンリンク許可、および／または第２のセルに対応するＨＡＲＱバッファ情報をクリアする処理、
プロセッサ６０２によって、第１のセルに対応し、かつ、第２のタイミング進みグループに属する第２のセルを非活動化する処理、
プロセッサ６０２によって、第１のセルに対応し、かつ、第２のタイミング進みグループに属する第２のセルに対して構成されたアップリンク伝送を停止する処理、または
プロセッサ６０２によって、第２のタイミング進みグループのアップリンク時間整列タイマを停止する処理であって、第２のタイミング進みグループに含まれているすべてのセルが、第１の二次タイミング進みグループに含まれている第１のセルに対応する第２のセルである処理
のうちの少なくとも１つを実施するようにさらに構成される。
【０１６２】
この実施形態では、受信機は、基地局によって送られる対応関係指示情報を受け取り、対応関係指示情報は、現在使用されている対応関係を指示するために使用され、プロセッサは、現在使用されている対応関係に従って、第２のセルのアップリンクフィードバック情報を送るために使用されるＰＵＣＣＨを決定する。第１のセルと第２のセルの間の対応関係を設定することにより、ＰＵＣＣＨは、ＵＥの複数のセルに対して構成されることが可能であり、複数のセルのＰＵＣＣＨは、ＰＵＣＣＨが構成されるセルの負荷を小さくするために、共同してアップリンクフィードバック情報を運ぶ。さらに、使用される対応関係は、活動化または非活動化などの対応関係指示情報を使用することによって調整され、それにより、使用される対応関係を速やかに、かつ、動的に調整することができる。
【０１６３】
図７は、本発明によるＰＵＣＣＨ構成装置の実施形態５の概略構造図である。図６に示されている実施形態に基づいて、図７に示されている装置は、送信機６０３をさらに含み、送信機６０３は、トリガ条件が満たされたことを決定し、かつ、パワーヘッドルームＰＨを報告するように構成され、
トリガ条件は、
Ｎが２より大きいか、または２に等しい整数である、ＵＥのＮ個の第１のセルのパワーヘッドルームのうちのいずれか２つの第１のセルのパワーヘッドルーム間の比率が、第１のプリセット閾値より大きいか、または第１のプリセット閾値に等しいこと、または
ＵＥのパワーヘッドルームが第２のプリセット閾値未満であり、ＵＥのパワーヘッドルームが、ＵＥの最大伝送パワー、一次セルのＰＵＣＣＨパワー、二次セルのＰＵＣＣＨパワー、一次セルの物理アップリンク共有チャネルＰＵＳＣＨパワー、および／または二次セルのＰＵＳＣＨパワーに従って獲得されること、または
ＵＥの第１のセルが変更されること
を含む。
【０１６４】
上記実施形態では、ＵＥの第１のセルが変更されることは、
ＵＥの少なくとも１つの第１のセルが活動化されるか、または
ＵＥの少なくとも１つの第１のセルのＰＵＣＣＨが活動化されるか、または
ＵＥの少なくとも１つの第１のセルが非活動化されるか、または
ＵＥの少なくとも１つの第１のセルのＰＵＣＣＨが非活動化されるか、または
ＰＵＣＣＨがＵＥの少なくとも１つのセルに対して構成されるか、または
ＰＵＣＣＨがＵＥの少なくとも１つの第１のセルに対して脱構成されるか、または、ＰＵＣＣＨを含む少なくとも１つのセルがＵＥのために追加されるように構成される
ことを含む。
【０１６５】
上記実施形態では、ＰＨは、
一次セルのＰＵＣＣＨを使用することによって伝送を実施するための、ＵＥのためのパワーヘッドルーム、
二次セルのＰＵＣＣＨを使用することによって伝送を実施するための、ＵＥのためのパワーヘッドルーム、または
一次セルのＰＵＣＣＨおよび二次セルのＰＵＣＣＨの両方を使用することによって伝送を実施するための、ＵＥのためのパワーヘッドルーム
の情報のうちの少なくとも１つを含む。
【０１６６】
この実施形態では、送信機は、トリガ条件が満たされたことを決定し、かつ、パワーヘッドルームＰＨを報告する。基地局は、ＵＥによって報告されたＰＨに従って、ＰＵＣＣＨが構成されるセルの負荷状態を学習し、かつ、ＰＨに従ってＰＵＣＣＨ構成を調整する。この方法によれば、ＰＵＣＣＨ構成はより適切であり、また、資源利用が改善される。
【０１６７】
図８は、本発明によるＰＵＣＣＨ構成装置の実施形態６の概略構造図である。この実施形態におけるＰＵＣＣＨ構成装置は基地局の中に配置される。この実施形態における装置は、プロセッサ８０１および送信機８０２を含む。プロセッサ８０１は、対応関係指示情報を決定するように構成され、対応関係指示情報は、ＵＥの現在使用されている対応関係を指示するために使用され、対応関係は、第１のセルおよび第１のセルに対応する第２のセルに関する情報を含む。第１のセルは、物理アップリンク制御チャネルＰＵＣＣＨが既に構成されているセルであり、第２のセルのアップリンクフィードバック情報は、第２のセルに対応する第１のセルのＰＵＣＣＨを使用することによって運ばれる。送信機８０２は、対応関係指示情報をＵＥに送るように構成される。
【０１６８】
上記実施形態では、対応関係指示情報は、現在使用されている第１のセルおよび現在使用されている第１のセルに対応する第２のセルに関する情報を含む。
【０１６９】
上記実施形態では、送信機８０２は、第１の対応関係をＵＥに送るようにさらに構成され、第１の対応関係は、第１のセルおよび第１のセルに対応する第２のセルに関する情報を含み、  対応関係指示情報は、第１の対応関係を活動化する指示情報を含む。
【０１７０】
上記実施形態では、送信機８０２は、第１の対応関係および第２の対応関係をＵＥに送るようにさらに構成され、第１の対応関係および第２の対応関係は、第１のセルおよび第１のセルに対応する第２のセルに関する情報を含み、
対応関係指示情報は、第１の対応関係または第２の対応関係を活動化する指示情報を含む。
【０１７１】
上記実施形態では、第１の対応関係は第１の通し番号をさらに含み、第２の対応関係は第２の通し番号をさらに含み、
第１の対応関係または第２の対応関係を活動化する指示情報は、活動化された対応関係の通し番号情報である。
【０１７２】
上記実施形態では、対応関係指示情報は、少なくとも１つの非活動化された第１のセルに関する情報を含む。
【０１７３】
上記実施形態では、対応関係指示情報は、少なくとも１つの活動化された第１のセルに関する情報を含む。
【０１７４】
上記実施形態では、送信機８０２は、非活動化指示をＵＥに送るようにさらに構成され、したがってＵＥは、非活動化指示に従って少なくとも１つの第１のセルを非活動化し、第１のセルに対する対応関係を有するすべての第２のセルを非活動化する。
【０１７５】
この実施形態では、プロセッサは対応関係指示情報を決定し、また、送信機は対応関係指示情報をＵＥに送り、対応関係指示情報は、ＵＥの現在使用されている対応関係を指示するために使用され、対応関係は、第１のセルおよび第１のセルに対応する第２のセルに関する情報を含む。第１のセルは、物理アップリンク制御チャネルＰＵＣＣＨが既に構成されているセルであり、第２のセルのアップリンクフィードバック情報は、第２のセルに対応する第１のセルのＰＵＣＣＨを使用することによって運ばれ、したがってＵＥは、使用されている対応関係を指示している指示情報に従って、第２のセルのアップリンクフィードバック情報を送るために使用されるＰＵＣＣＨを決定する。第１のセルと第２のセルの間の対応関係を設定することにより、ＰＵＣＣＨは、ＵＥの複数のセルに対して構成されることが可能であり、複数のセルのＰＵＣＣＨは、ＰＵＣＣＨが構成されるセルの負荷を小さくするために、共同してアップリンクフィードバック情報を運ぶ。
【０１７６】
当業者は、方法実施形態のステップのすべてまたは一部が、関連するハードウェアに命令するプログラムによって実現されることがあることを理解することがある。プログラムは、コンピュータ可読記憶媒体に記憶されることがある。プログラムが実行されると、方法実施形態のステップが実施される。上記記憶媒体は、プログラムコードを記憶することができる、ＲＯＭ、ＲＡＭ、磁気ディスクまたは光ディスクなどの任意の媒体を含む。
【０１７７】
最後に、上記実施形態は、本発明の技術的解決法を説明することが意図されているにすぎず、本発明を限定することは意図されていないことに留意されたい。本発明は、上記実施形態を参照して詳細に説明されているが、当業者は、それらが、本発明の実施形態の技術的解決法の範囲を逸脱することなく、上記実施形態において説明された技術的解決法に依然として変更を加えることがあること、または技術的解決法のいくつかの技術的特徴またはすべての技術的特徴に対する等価置換を加えることがあることを理解すべきである。
【図１】
0006517938.tif 000002
【図２】
0006517938.tif 000003
【図３】
0006517938.tif 000004
【図４】
0006517938.tif 000005
【図５】
0006517938.tif 000006
【図６】
0006517938.tif 000007
【図７】
0006517938.tif 000008
【図８】
0006517938.tif 000009